(57)【特許請求の範囲】
【請求項１】
ユーザ機器（ＵＥ）におけるワイヤレス通信の方法であって、
可変送信時間間隔（ＴＴＩ）の第１の部分において第１の許可を受信することと、ここにおいて、前記可変ＴＴＩの前記第１の部分が制御領域とデータ領域とを備え、前記データ領域が前記制御領域によってスケジュールされ、前記受信された第１の許可は、前記可変ＴＴＩの継続時間の指示を備える、
前記受信された第１の許可の前記可変ＴＴＩの前記継続時間の前記指示に少なくとも部分的に基づいて前記可変ＴＴＩの前記継続時間を決定することと、
前記可変ＴＴＩの間に共通制御信号を受信することと、
前記受信された共通制御信号によって示される別のＵＥへのアップリンク割当ての長さに少なくとも部分的に基づいて非アクティブ時間間隔を識別することと、
前記非アクティブ時間間隔を識別すると、スリープサイクルを開始することと
を備える、方法。
【請求項２】
前記受信された第１の許可に少なくとも部分的に基づいて前記可変ＴＴＩの前記第１の部分の前記データ領域のリソース上でデータを受信することをさらに備え、前記第１の許可がダウンリンク許可を備える、請求項１に記載の方法。
【請求項３】
前記可変ＴＴＩに続く後続のＴＴＩのリソース上で送信することをさらに備え、前記送信が前記受信された第１の許可に少なくとも部分的に基づいており、前記第１の許可がアップリンク許可を備える、請求項１に記載の方法。
【請求項４】
前記受信された第１の許可に少なくとも部分的に基づいて、前記可変ＴＴＩに続き、前記後続のＴＴＩに先行する切替え間隔を識別することをさらに備える、請求項３に記載の方法。
【請求項５】
前記可変ＴＴＩの前記第１の部分の前記制御領域において第２の許可を受信することと、
前記受信された第１の許可に少なくとも部分的に基づいて前記可変ＴＴＩの前記第１の部分の前記データ領域のリソース上でデータを受信することと、
前記受信された第２の許可に少なくとも部分的に基づいて後続のＴＴＩのリソース上で送信することと
をさらに備え、
ここにおいて、前記第１の許可がダウンリンク許可を備え、前記第２の許可がアップリンク許可を備える、請求項１に記載の方法。
【請求項６】
前記可変ＴＴＩがシンボル期間のセットを備え、
前記可変ＴＴＩの前記第１の部分が前記セットのうちの１つのシンボル期間を備える、請求項１に記載の方法。
【請求項７】
前記可変ＴＴＩの第２の部分において第２の許可を受信することと、ここにおいて、前記受信された第２の許可は、前記第１の許可が強制排除されたことを前記ＵＥに示す、
前記受信された第２の許可を受信することに応じて、前記第１の許可の残りの部分を取り消すことと
をさらに備える、請求項１に記載の方法。
【請求項８】
前記可変ＴＴＩがシンボル期間のセットを備え、前記可変ＴＴＩの前記第１の部分および前記第２の部分が、各々、シンボル期間の前記セットのうちの１つのシンボルを備える、請求項７に記載の方法。
【請求項９】
前記第１の許可がダウンリンク許可またはアップリンク許可のセットのうちの１つを備える、請求項１に記載の方法。
【請求項１０】
前記可変ＴＴＩの前記継続時間に少なくとも部分的に基づいて、ハイブリッド自動再送要求（ＨＡＲＱ）タイミングを決定することをさらに備える、請求項１に記載の方法。
【請求項１１】
ユーザ機器（ＵＥ）におけるワイヤレス通信のための装置であって、
可変送信時間間隔（ＴＴＩ）の第１の部分において第１の許可を受信するための手段と、ここにおいて、前記可変ＴＴＩの前記第１の部分が制御領域とデータ領域とを備え、前記データ領域が前記制御領域によってスケジュールされ、前記受信された第１の許可は、前記可変ＴＴＩの継続時間の指示を備える、
前記受信された第１の許可の前記可変ＴＴＩの前記継続時間の前記指示に少なくとも部分的に基づいて前記可変ＴＴＩの前記継続時間を決定するための手段と、
前記可変ＴＴＩの間に共通制御信号を受信するための手段と、
前記受信された共通制御信号によって示される別のＵＥへのアップリンク割当ての長さに少なくとも部分的に基づいて非アクティブ時間間隔を識別するための手段と、
前記非アクティブ時間間隔を識別すると、スリープサイクルを開始するための手段と
を備える、装置。
【請求項１２】
前記受信された第１の許可に少なくとも部分的に基づいて前記可変ＴＴＩの前記第１の部分の前記データ領域のリソース上でデータを受信するための手段をさらに備え、ここにおいて、前記第１の許可がダウンリンク許可を備える、請求項１１に記載の装置。
【請求項１３】
前記可変ＴＴＩに続く後続のＴＴＩのリソース上で送信するための手段をさらに備え、ここにおいて、前記送信が前記受信された第１の許可に少なくとも部分的に基づいており、前記第１の許可がアップリンク許可を備える、請求項１１に記載の装置。
【請求項１４】
前記受信された第１の許可に少なくとも部分的に基づいて、前記可変ＴＴＩに続き、前記後続のＴＴＩに先行する切替え間隔を識別するための手段をさらに備える、請求項１３に記載の装置。
【発明の詳細な説明】
【技術分野】
【０００１】
相互参照
[0001]本特許出願は、各々が本出願の譲受人に譲渡された、２０１５年９月２２日に出願された「Ｖａｒｉａｂｌｅ  Ｌｅｎｇｔｈ  Ｔｒａｎｓｍｉｓｓｉｏｎ  Ｔｉｍｅ  Ｉｎｔｅｒｖａｌｓ  （ＴＴＩ）」と題する、Ｄａｍｎｊａｎｏｖｉｃらによる米国特許出願第１４／８６１，６６２号、および２０１４年１０月２９日に出願された「Ｖａｒｉａｂｌｅ  Ｌｅｎｇｔｈ  Ｔｒａｎｓｍｉｓｓｉｏｎ  Ｔｉｍｅ  Ｉｎｔｅｒｖａｌｓ  （ＴＴＩ）」と題する、Ｄａｍｎｊａｎｏｖｉｃらによる米国仮特許出願第６２／０６９，９４２号の優先権を主張する。
【０００２】
[0002]以下は、一般に、ワイヤレス通信に関し、より詳細には、可変長送信時間間隔（ＴＴＩ）に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することにより、複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）が含まれる。
【０００４】
[0004]例として、ワイヤレス多元接続通信システムは、場合によってはユーザ機器（ＵＥ）として知られる場合がある、複数の通信デバイス用の通信を各々が同時にサポートする、いくつかの基地局を含む場合がある。基地局は、（たとえば、基地局からＵＥへの送信用の）ダウンリンクチャネル上で、および（たとえば、ＵＥから基地局への送信用の）アップリンクチャネル上で、通信デバイスと通信することができる。
【０００５】
[0005]ますます、多くのワイヤレスアプリケーションは、待ち時間（latency）が減少した通信から恩恵を受ける。加えて、広帯域幅キャリアおよびスペクトル共有（たとえば、無認可スペクトル使用）により、システムが低減された待ち時間の動作を利用し、ＵＥのシステムとのトラフィックニーズに柔軟および動的に適合することが可能になる場合がある。
【発明の概要】
【０００６】
[0006]可変長ＴＴＩを有効にし、利用するための方法、システム、および装置が記載される。様々なＵＥについての待ち時間は、データトラフィックニーズに柔軟および動的に適合することによって低減される場合がある。所与のＵＥ用のＴＴＩは、ＵＥまたはシステムの要件ならびにアップリンクＴＴＩおよびダウンリンクＴＴＩの構成に従って、動的に調整される場合があり、各ＴＴＩの継続時間は、ＵＥがリソース許可を受信するまでＵＥに知られていない場合がある。たとえば、ＵＥは、可変ＴＴＩの第１の部分においてダウンリンク許可を受信することができる。可変ＴＴＩの第１の部分（たとえば、第１のシンボル）は、制御領域とデータ領域とを含む場合がある。ＵＥは、ダウンリンク許可に基づいて可変ＴＴＩの継続時間を決定することができ、ＵＥは、ダウンリンク許可に基づいて可変ＴＴＩの第１の部分または後続の部分のデータ領域のリソース上でデータを受信することができる。ＵＥは、可変ＴＴＩ内で−第１の部分または別の部分のいずれかにおいて−後続の許可（たとえば、アップリンク許可）を受信することができ、たとえば、後続の許可に基づいて後続のＴＴＩ内で送信することができる。
【０００７】
[0007]ＵＥにおけるワイヤレス通信の方法が記載される。方法は、可変ＴＴＩの第１の部分において第１の許可を受信することを含む場合があり、可変ＴＴＩの第１の部分は制御領域とデータ領域とを含み、データ領域は制御領域によってスケジュールされる。方法は、受信された第１の許可に少なくとも部分的に基づいて可変ＴＴＩの継続時間を決定することを含む場合もある。
【０００８】
[0008]ＵＥにおけるワイヤレス通信のための装置が記載される。装置は、可変ＴＴＩの第１の部分において第１の許可を受信するための手段を含む場合があり、可変ＴＴＩの第１の部分は制御領域とデータ領域とを含み、データ領域は制御領域によってスケジュールされる。装置は、受信された第１の許可に少なくとも部分的に基づいて可変ＴＴＩの継続時間を決定するための手段を含む場合もある。
【０００９】
[0009]ＵＥにおけるワイヤレス通信のためのさらなる装置も記載される。装置は、プロセッサと、プロセッサと電子通信している（in electronic communication）メモリと、メモリに記憶された命令とを含む場合がある。命令は、可変ＴＴＩの第１の部分において第１の許可を受信するようにプロセッサによって実行可能である場合があり、可変ＴＴＩの第１の部分は制御領域とデータ領域とを含み、データ領域は制御領域によってスケジュールされる。命令は、受信された第１の許可に少なくとも部分的に基づいて可変ＴＴＩの継続時間を決定するようにプロセッサによって実行可能である場合もある。
【００１０】
[0010]ＵＥにおけるワイヤレス通信のためのコードを記憶する非一時的コンピュータ可読媒体も記載される。コードは、可変ＴＴＩの第１の部分において第１の許可を受信することと、可変ＴＴＩの第１の部分は制御領域とデータ領域とを含み、データ領域は制御領域によってスケジュールされる、受信された第１の許可に少なくとも部分的に基づいて可変ＴＴＩの継続時間を決定することとを行うように実行可能な命令を含む場合がある。
【００１１】
[0011]上述された方法、装置、または非一時的コンピュータ可読媒体のいくつかの例は、受信された第１の許可に基づいてＴＴＩの第１の部分のデータ領域のリソース上でデータを受信するための特徴、手段、または命令をさらに含む場合があり、第１の許可はダウンリンク許可を備える。追加または代替として、いくつかの例は、可変ＴＴＩに続く後続のＴＴＩのリソース上で送信するための特徴、手段、または命令を含む場合があり、送信は受信された第１の許可に基づいており、第１の許可はアップリンク許可を備える。
【００１２】
[0012]上述された方法、装置、または非一時的コンピュータ可読媒体のいくつかの例は、受信された第１の許可に基づいて、可変ＴＴＩに続き、後続のＴＴＩに先行する切替え間隔を識別するための特徴、手段、または命令をさらに含む場合がある。追加または代替として、いくつかの例は、ＴＴＩの第１の部分の制御領域において第２の許可を受信し、受信された第１の許可に基づいてＴＴＩの第１の部分のデータ領域のリソース上でデータを受信し、受信された第２の許可に基づいて後続のＴＴＩのリソース上で送信するための特徴、手段、または命令を含む場合があり、第１の許可はダウンリンク許可を含み、第２の許可はアップリンク許可を含む。
【００１３】
[0013]上述された方法、装置、または非一時的コンピュータ可読媒体のいくつかの例は、可変ＴＴＩの間に共通制御信号を受信し、受信された共通制御信号に基づいて非アクティブ時間間隔を識別するための特徴、手段、または命令をさらに含む場合がある。追加または代替として、いくつかの例は、非アクティブ時間間隔を識別すると、スリープサイクルを開始するための特徴、手段、または命令を含む場合がある。
【００１４】
[0014]上述された方法、装置、または非一時的コンピュータ可読媒体のいくつかの例では、可変ＴＴＩの第１の部分は１つのシンボル期間である。追加または代替として、いくつかの例では、可変ＴＴＩはシンボル期間のセットを含む。
【００１５】
[0015]上述された方法、装置、または非一時的コンピュータ可読媒体のいくつかの例は、可変ＴＴＩの第２の部分において第２の許可を受信し、受信された第２の許可に基づいて可変ＴＴＩの継続時間を再決定し、受信された第２の許可に基づいて可変ＴＴＩの第２の部分または後続のＴＴＩ内のリソース上で通信するための特徴、手段、または命令をさらに含む場合がある。追加または代替として、いくつかの例では、可変ＴＴＩはシンボル期間のセットを含み、可変ＴＴＩの第１の部分および第２の部分は、各々、シンボル期間のセットの１つのシンボル期間を含む。
【００１６】
[0016]上述された方法、装置、または非一時的コンピュータ可読媒体のいくつかの例では、第１の許可はダウンリンク許可またはアップリンク許可のセットのうちの１つを含む。追加または代替として、いくつかの例は、可変ＴＴＩの継続時間に基づいてハイブリッド自動再送要求（ＨＡＲＱ）タイミングを決定するための特徴、手段、または命令を含む場合がある。
【００１７】
[0017]上記では、以下の発明を実施するための形態がより良く理解され得るように、本開示による例の特徴および技術的利点がかなり広く概説された。さらなる特徴および利点が以下に記載される。開示される概念および具体例は、本開示の同じ目的を遂行するための他の構造を修正または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関して考察されると、以下の説明からより良く理解されよう。図の各々は、例示および説明のためにのみ提供され、特許請求の範囲の限定の定義として提供されるものではない。
【００１８】
[0018]以下の図面を参照することにより、本開示の本質および利点のより一層の理解が実現され得る。添付の図では、同様の構成要素または特徴は、同じ参照ラベルを有する場合がある。さらに、同じタイプの様々な構成要素は、参照ラベルの後に、ダッシュと、同様の構成要素の間を区別する第２のラベルとを続けることによって区別される場合がある。第１の参照ラベルだけが本明細書において使用される場合、その説明は、第２の参照ラベルにかかわらず、同じ第１の参照ラベルを有する同様の構成要素のうちのいずれにも適用可能である。
【図面の簡単な説明】
【００１９】
【図１】[0019]本開示の様々な態様による、ワイヤレス通信システムの一例を示す図。
【図２】[0020]本開示の態様による、ワイヤレス通信システムの様々なセルを使用して送信され得る無線フレームおよび様々なサブフレームの一例を示す図。
【図３】[0021]本開示の様々な態様による、高度コンポーネントキャリア（ｅＣＣ）送信の一例を示す図。
【図４】[0022]本開示の様々な態様による、ｅＣＣ送信の一例を示す図。
【図５】[0023]本開示の様々な態様による、可変長ＴＴＩを利用するキャリアの一例を示す図。
【図６】[0024]本開示の一態様による、シンボル内の制御シグナリングが可変長ＴＴＩの送信強制排除（preemption）を示す、可変長ＴＴＩの一例を示す図。
【図７】[0025]本開示の様々な態様による、可変長ＴＴＩ用に構成されたユーザ機器（ＵＥ）のブロック図。
【図８】[0026]本開示の様々な態様による、可変長ＴＴＩ用に構成されたＵＥのブロック図。
【図９】[0027]本開示の様々な態様による、可変長ＴＴＩ用に構成されたモジュールのブロック図。
【図１０】[0028]本開示の様々な態様による、可変長ＴＴＩ用に構成されたＵＥを含むシステムのブロック図。
【図１１】[0029]本開示の様々な態様による、可変長ＴＴＩ用に構成された基地局を含むシステムのブロック図。
【図１２】[0030]本開示の様々な態様による、可変長ＴＴＩのための方法を示すフローチャート。
【図１３】[0031]本開示の様々な態様による、可変長ＴＴＩのための方法を示すフローチャート。
【図１４】[0032]本開示の様々な態様による、可変長ＴＴＩのための方法を示すフローチャート。
【図１５】[0033]本開示の様々な態様による、可変長ＴＴＩのための方法を示すフローチャート。
【図１６】[0034]本開示の様々な態様による、可変長ＴＴＩのための方法を示すフローチャート。
【図１７】[0035]本開示の様々な態様による、可変長ＴＴＩのための方法を示すフローチャート。
【発明を実施するための形態】
【００２０】
[0036]低遅延動作をサポートすることができる可変長送信時間間隔（ＴＴＩ）を利用するための技法が記載される。ユーザ機器（ＵＥ）は、ＴＴＩのタイプ（たとえば、アップリンクまたはダウンリンク）と継続時間とを示す許可を受信することができる。ＴＴＩのタイプおよび長さ−たとえば、ＴＴＩ内のシンボル期間の数−は、システム内の様々なＵＥのトラフィックニーズに従って、柔軟および動的に調整される場合がある。それに応じて、ＵＥは、ＴＴＩの第１の部分（たとえば、第１のシンボル）において許可（たとえば、ダウンリンク許可）を受信することができ、ＵＥは、受信された許可に基づいて、継続時間（たとえば、長さ）を含むＴＴＩの構成を決定することができる。ＵＥは、このようにして、受信された許可に基づいて動作すること−たとえば、データを受信すること、データを送信すること、スリープすることなど−ができる。場合によっては、受信された許可は以前の許可を強制排除する場合があり、そのため、ＵＥは、受信された許可に基づいて可変ＴＴＩの継続時間を再決定することができる。
【００２１】
[0037]可変ＴＴＩの柔軟性により、システム内の様々なＵＥのトラフィックニーズにシステムが適合することが可能になる場合がある。加えて、下記に記載されるように、ＴＴＩの継続時間を動的に調整すると、低遅延要件を有するＵＥにリソースを許可することにより、低遅延動作が提供され得る。
【００２２】
[0038]以下の説明は例を与えるものであり、特許請求の範囲に記載される範囲、適用可能性、または例を限定するものではない。本開示の範囲から逸脱することなく、説明される要素の機能および構成において、変更が行われる場合がある。様々な例は、適宜、様々な手順または構成要素を省略、置換、または追加する場合がある。たとえば、記載される方法は、記載される順序とは異なる順序で実施される（performed）場合があり、様々なステップが追加され、省略され、または組み合わされる場合がある。また、いくつかの例に関して記載される特徴は、他の例において組み合わされる場合がある。
【００２３】
[0039]図１は、本開示の様々な態様による、ワイヤレス通信システム１００の一例を示す。システム１００は、基地局１０５と、ＵＥ１１５と、コアネットワーク１３０とを含む。コアネットワーク１３０は、ユーザ認証と、アクセス認可と、トラッキングと、インターネットプロトコル（ＩＰ）接続性と、他のアクセス、ルーティング、またはモビリティ機能とを提供することができる。基地局１０５は、バックホールリンク１３２（たとえば、Ｓ１など）を介してコアネットワーク１３０とインターフェースする。基地局１０５は、ＵＥ１１５との通信のための無線構成とスケジューリングとを実施することができるか、または基地局コントローラ（図示せず）の制御下で動作することができる。様々な例では、基地局１０５は、有線またはワイヤレスの通信リンクであり得るバックホールリンク１３４（たとえば、Ｘ１など）を介して互いと直接的または間接的に（たとえば、コアネットワーク１３０を介して）通信することができる。
【００２４】
[0040]基地局１０５は、１つまたは複数の基地局アンテナを介してＵＥ１１５とワイヤレスに通信することができる。基地局１０５の各々は、それぞれの地理的カバレージエリア１１０に通信カバレージを提供することができる。いくつかの例では、基地局１０５は、トランシーバ基地局、無線基地局、アクセスポイント、無線トランシーバ、ノードＢ、ｅノードＢ（ｅＮＢ）、ホームノードＢ、ホームｅノードＢ、または他の何らかの適切な用語で呼ばれる場合がある。基地局１０５のための地理的カバレージエリア１１０は、カバレージエリアの一部分のみを構成するセクタに分割される場合がある（図示せず）。ワイヤレス通信システム１００は、様々なタイプ（たとえば、マクロ基地局またはスモールセル基地局）の基地局１０５を含む場合がある。様々な技術向けの重複する地理的カバレージエリア１１０が存在する場合がある。
【００２５】
[0041]いくつかの例では、ワイヤレス通信システム１００の少なくとも一部分は、可変長（すなわち、可変）ＴＴＩを使用して動作するように構成される場合があり、可変長ＴＴＩ内で、ダウンリンクＴＴＩおよびアップリンクＴＴＩは、特定の時点に特定のトラフィックニーズに動的に適応するために柔軟性を与えるように動的に調整される場合がある。下記に記載されるように、アップリンク許可とダウンリンク許可の両方は、共通シンボル内で基地局１０５からＵＥ１１５に送信される場合があり、これにより、特定のＵＥ１１５に必要なように、待ち時間が低減される場合がある。
【００２６】
[0042]いくつかの例では、ワイヤレス通信システム１００は、ロングタームエボリューション（ＬＴＥ）／ＬＴＥアドバンスト（ＬＴＥ−Ａ）ネットワークである。ＬＴＥ／ＬＴＥ−Ａネットワークでは、発展型ノードＢ（ｅＮＢ）という用語は、一般に、基地局１０５を記述するために使用される場合がある。ワイヤレス通信システム１００は、異なるタイプのｅＮＢが様々な地理的領域にカバレージを提供する異種ＬＴＥ／ＬＴＥ−Ａネットワークであり得る。たとえば、各々のｅＮＢまたは基地局１０５は、マクロセル、スモールセル、または他のタイプのセルに通信カバレージを提供することができる。「セル」という用語は、状況に応じて、基地局、基地局に関連付けられたキャリアもしくはコンポーネントキャリア、またはキャリアもしくは基地局のカバレージエリア（たとえば、セクタなど）を記述するために使用され得る３ＧＰＰ（登録商標）用語である。
【００２７】
[0043]マクロセルは、一般に、比較的大きい地理的エリア（たとえば、半径数キロメートル）をカバーし、ネットワークプロバイダのサービスに加入しているＵＥ１１５による無制限アクセスを可能にすることができる。スモールセルは、マクロセルと比較して、マクロセルと同じかまたは異なる（たとえば、認可、無認可などの）周波数帯域内で動作することができる低電力基地局である。スモールセルは、様々な例によれば、ピコセルと、フェムトセルと、マイクロセルとを含む場合がある。ピコセルは、たとえば、小さい地理的エリアをカバーすることができ、ネットワークプロバイダのサービスに加入しているＵＥ１１５による無制限アクセスを可能にすることができる。フェムトセルも、小さい地理的エリア（たとえば、自宅）をカバーすることができ、フェムトセルとの関連を有するＵＥ１１５（たとえば、限定加入者グループ（ＣＳＧ）内のＵＥ１１５、自宅内のユーザのためのＵＥ１１５など）による制限付きアクセスを提供することができる。マクロセルのためのｅＮＢは、マクロｅＮＢと呼ばれる場合がある。スモールセルのためのｅＮＢは、スモールセルｅＮＢ、ピコｅＮＢ、フェムトｅＮＢ、またはホームｅＮＢと呼ばれる場合がある。ｅＮＢは、１つまたは複数の（たとえば、２つ、３つ、４つなどの）セル（たとえば、コンポーネントキャリア）をサポートすることができる。
【００２８】
[0044]ワイヤレス通信システム１００は、同期動作または非同期動作をサポートすることができる。同期動作の場合、基地局１０５は同様のフレームタイミングを有する場合があり、異なる基地局１０５からの送信は時間的にほぼ整合される場合がある。非同期動作の場合、基地局１０５は異なるフレームタイミングを有する場合があり、異なる基地局１０５からの送信は時間的に整合されない場合がある。本明細書に記載された技法は、同期動作または非同期動作のいずれかに使用される場合がある。
【００２９】
[0045]様々な開示された例のいくつかに適応することができる通信ネットワークは、階層化プロトコルスタックに従って動作するパケットベースネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、論理チャネル上で通信するためにパケットのセグメンテーションおよびリアセンブリを実施することができる。媒体アクセス制御（ＭＡＣ）レイヤは、優先処理と、トランスポートチャネルへの論理チャネルの多重化とを実施することができる。ＭＡＣレイヤは、ＭＡＣレイヤでの再送信を実現してリンク効率を改善するために、ＨＡＲＱを使用することもできる。制御プレーンでは、無線リソース制御（ＲＲＣ）プロトコルレイヤは、ＵＥ１１５と基地局１０５との間のＲＲＣ接続の確立と構成と維持とを実現することができる。ＲＲＣプロトコルレイヤは、ユーザプレーンデータのための無線ベアラのコアネットワーク１３０サポートのために使用される場合もある。物理（ＰＨＹ）レイヤにおいて、トランスポートチャネルは、物理チャネルにマッピングされる場合がある。
【００３０】
[0046]ＵＥ１１５は、ワイヤレス通信システム１００全体にわたって分散される場合があり、各ＵＥ１１５は固定またはモバイルであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語を含むか、または当業者によってそのように呼ばれる場合もある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む様々なタイプの基地局およびネットワーク機器と通信することが可能であり得る。
【００３１】
[0047]ワイヤレス通信システム１００内に示された通信リンク１２５は、ＵＥ１１５から基地局１０５へのアップリンク（ＵＬ）送信、または基地局１０５からＵＥ１１５へのダウンリンク（ＤＬ）送信を含む場合がある。ダウンリンク送信は順方向リンク送信と呼ばれる場合もあり、一方、アップリンク送信は逆方向リンク送信と呼ばれる場合もある。各通信リンク１２５は１つまたは複数のキャリアを含む場合があり、ここで、各キャリアは、上述された様々な無線技術に従って変調された複数のサブキャリア（たとえば、様々な周波数の波形信号）からなる信号であり得る。各変調信号は、異なるサブキャリア上で送られる場合があり、制御情報（たとえば、基準信号、制御チャネルなど）、オーバーヘッド情報、ユーザデータなどを搬送することができる。通信リンク１２５は、（たとえば、対スペクトルリソースを使用する）周波数分割複信（ＦＤＤ）動作、または（たとえば、不対スペクトルリソースを使用する）時分割複信（ＴＤＤ）動作を使用して、双方向通信を送信することができる。ＦＤＤ（たとえば、フレーム構造タイプ１）およびＴＤＤ（たとえば、フレーム構造タイプ２）のためのフレーム構造が定義される場合がある。
【００３２】
[0048]システム１００のいくつかの例では、基地局１０５またはＵＥ１１５は、アンテナダイバーシティ方式を利用して基地局１０５とＵＥ１１５との間の通信の品質および信頼性を改善するための複数のアンテナを含む場合がある。追加または代替として、基地局１０５またはＵＥ１１５は、マルチパス環境を利用して同じかまたは異なるコード化データを搬送する複数の空間レイヤを送信することができる、多入力多出力（ＭＩＭＯ）技法を利用することができる。
【００３３】
[0049]ワイヤレス通信システム１００は、複数のセルまたはキャリア上の動作、すなわち、キャリアアグリゲーション（ＣＡ）またはマルチキャリア動作と呼ばれる場合がある機能をサポートすることができる。キャリアは、コンポーネントキャリア（ＣＣ）、レイヤ、チャネルなどと呼ばれる場合もある。「キャリア」、「コンポーネントキャリア」、「セル」、および「チャネル」という用語は、本明細書では互換的に使用される場合がある。ＵＥ１１５は、キャリアアグリゲーションのために、複数のダウンリンクＣＣおよび１つまたは複数のアップリンクＣＣを用いて構成される場合がある。キャリアアグリゲーションは、ＦＤＤコンポーネントキャリアとＴＤＤコンポーネントキャリアの両方とともに使用される場合がある。
【００３４】
[0050]「コンポーネントキャリア」という用語は、キャリアアグリゲーション（ＣＡ）動作においてＵＥによって利用される複数のキャリアの各々を指す場合があり、システム帯域幅の他の部分とは別個であり得る。たとえば、コンポーネントキャリアは、独立して、または他のコンポーネントキャリアと組み合わせて利用されることが可能である、比較的狭い帯域幅のキャリアであり得る。各コンポーネントキャリアは、ＬＴＥ規格のリリース８またはリリース９に基づいて、隔離されたキャリアと同じ能力を実現することができる。複数のコンポーネントキャリアは、より大きい帯域幅と、たとえば、より高いデータレートとをいくつかのＵＥ１１５に提供するために、アグリゲートされるか、または同時に利用される場合がある。したがって、個々のコンポーネントキャリアは、従来のＵＥ１１５（たとえば、ＬＴＥリリース８またはリリース９を実装するＵＥ１１５）との後方互換性があり得るが、他のＵＥ１１５（たとえば、リリース８／９後のＬＴＥバージョンを実装するＵＥ１１５）は、マルチキャリアモードにおいて複数のコンポーネントキャリアを用いて構成される場合がある。
【００３５】
[0051]ＤＬに使用されるキャリアはＤＬ  ＣＣと呼ばれる場合があり、ＵＬに使用されるキャリアはＵＬ  ＣＣと呼ばれる場合がある。ＵＥ１１５は、キャリアアグリゲーションのために、複数のＤＬ  ＣＣおよび１つまたは複数のＵＬ  ＣＣを用いて構成される場合がある。各キャリアは、制御情報（たとえば、基準信号、制御チャネルなど）、オーバーヘッド情報、データなどを送信するために使用される場合がある。ＵＥ１１５は、複数のキャリアを利用して単一の基地局１０５と通信することができ、様々なキャリア上で同時に複数の基地局と通信することもできる。基地局１０５の各セルは、ＵＬコンポーネントキャリア（ＣＣ）とＤＬ  ＣＣとを含む場合がある。基地局１０５用の各サービングセルの地理的カバレージエリア１１０は異なる場合がある（たとえば、異なる周波数帯域上のＣＣは、異なる経路損失に遭遇する場合がある）。
【００３６】
[0052]いくつかの例では、あるキャリアは、１次セル（ＰＣｅｌｌ）によってサービスされ得るＵＥ１１５のための、１次キャリアまたは１次コンポーネントキャリア（ＰＣＣ）として指定される。１次セルは、ＵＥごとに上位レイヤ（たとえば、無線リソース制御（ＲＲＣ）など）によって半静的に構成される場合がある。物理アップリンク制御チャネル（ＰＵＣＣＨ）上で送信されたある特定のアップリンク制御情報（ＵＣＩ）およびスケジューリング情報は、１次セルによって搬送される。追加のキャリアは、２次セル（ＳＣｅｌｌ）によってサービスされ得る、２次キャリアまたは２次コンポーネントキャリア（ＳＣＣ）として指定される場合がある。２次セルは、同様に、ＵＥごとに半静的に構成される場合がある。場合によっては、２次セルは、１次セルと同じ制御情報を含まないか、またはそれを送信するように構成されない場合がある。いくつかの例では、下記に記載されるように、高度コンポーネントキャリア（ｅＣＣ）は、たとえば、ＳＣｅｌｌとして構成される場合がある。ｅＣＣは、トラフィック状態に応じて動的に調整され得る可変ＴＴＩを利用することができる。
【００３７】
[0053]場合によっては、ＵＥ１１５は、二重接続動作において非理想バックホール１３４によって接続される２つ以上の基地局１０５からのセルによってサービスされる場合がある。たとえば、サービング基地局１０５の間の接続は、正確なタイミング調整を容易にするには十分ではない場合がある。したがって、場合によっては、ＵＥ１１５をサービスするセルは、複数のタイミング調整グループ（ＴＡＧ）に分割される場合がある。各ＴＡＧは、ＵＥ１１５が異なるＵＬキャリア向けに異なるようにＵＬ送信を同期することができるように、異なるタイミングオフセットに関連付けられる場合がある。
【００３８】
[0054]いくつかの例では、あるセルは認可スペクトルを利用することができ、一方、別のセルは無認可スペクトルを利用することができる。ｅＣＣは、たとえば、無認可スペクトル用に構成される場合がある。概して、いくつかの管轄における無認可スペクトルは、６００メガヘルツ（ＭＨｚ）〜６ギガヘルツ（ＧＨｚ）にわたる場合がある。本明細書で使用する「無認可スペクトル」または「共有スペクトル」という用語は、したがって、工業、科学、および医療（ＩＳＭ）無線帯域を、それらの帯域の周波数にかかわらず、指す場合がある。いくつかの例では、無認可スペクトルは、５ＧＨｚ帯域または５Ｇ帯域と呼ばれる場合もある、Ｕ−ＮＩＩ無線帯域である。対照的に、「認可スペクトル」または「セルラースペクトル」という用語は、本明細書において、所管官庁からの管理ライセンスを受けたワイヤレスネットワーク事業者によって利用されるワイヤレススペクトルを指すために使用される場合がある。
【００３９】
[0055]上記で説明されたように、様々な例は、可変ＴＴＩを利用する、図１のワイヤレス通信システム１００などのワイヤレス通信システムにおける通信を提供する。図２は、本開示の態様による、図１のワイヤレス通信システム１００などのワイヤレス通信システムの様々なセルを使用して送信され得る、無線フレームおよび様々なサブフレームの一例を概念的に示すブロック図２００である。図２の無線フレームは、たとえば、１つまたは複数の基地局１０５と１つまたは複数のＵＥ１１５との間で、図１を参照して記載されたワイヤレス通信システム１００の部分を使用して送信される場合がある。この例では、従来のＰＣｅｌｌ送信２１０は、ダウンリンクサブフレーム２２５と、特殊サブフレーム１２３０と、アップリンクサブフレーム２３５とを含む１０個の１ｍｓサブフレームを含むＴＤＤフレームを含む場合がある。ダウンリンクサブフレーム２２５、特殊サブフレーム２３０、およびアップリンクサブフレーム２３５は、各１ｍｓサブフレーム内に１４個のシンボル２６６を含む場合がある、確立されたＬＴＥ規格に従って定義されたサブフレーム構造を含む場合がある。いくつかの例では、ダウンリンクサブフレーム２２５は、ダウンリンク直交周波数分割多重化（ＯＦＤＭ）シンボルを含む場合があり、アップリンクサブフレームは、シングルキャリア周波数分割多重化（ＳＣ−ＦＤＭ）シンボルを含む場合があり、特殊サブフレーム２３０は、アップリンクＳＣ−ＦＤＭシンボルとダウンリンクＯＦＤＭシンボルの両方を含む場合がある。
【００４０】
[0056]図２の例では、ＳＣｅｌｌ送信２２０は、従来のフレーム構造を、ダウンリンクシンボルとアップリンクシンボルとの間の動的切替えおよび可変ＴＴＩ長を可能にするＴＤＤベースのフレーム構造と交換することができる、またはバーストモード送信を含む場合がある。図２の例はＳＣｅｌｌ上の低遅延送信またはバーストモード送信を示すが、そのような送信構造ならびに本明細書に記載された様々な技法および原理は、従来のＬＴＥフレームの１つまたは複数のバーストモードサブフレーム内、他のＰＣｅｌｌ送信内、認可スペクトルまたは無認可スペクトル内などの、他の送信に実装される場合があることを理解されたい。図２の例では、ＳＣｅｌｌはｅＣＣであり得るし、ｅＣＣ送信と呼ばれる場合があるＳＣｅｌｌ送信２２０は、指定ダウンリンクシンボル２４０および指定アップリンクシンボル２６０と、特定のトラフィックニーズに基づいてアップリンクシンボルまたはダウンリンクシンボルとして割り振られ得る柔軟なシンブル２４５とを含む場合がある。
【００４１】
[0057]指定ダウンリンクシンボル２４０および指定アップリンクシンボル２６０は、たとえば、様々な無線リソース管理（ＲＲＭ）測定、同期、ＣＳＩフィードバック、ランダムアクセスチャネル（ＲＡＣＨ）、およびスケジューリング要求（ＳＲ）通信を可能にするために提供される場合がある。指定ダウンリンクシンボル２４０および指定アップリンクシンボル２６０は、図１の基地局１０５などの基地局によって構成される場合があり、ＲＲＣシグナリング、システム情報ブロック（ＳＩＢ）、または物理ダウンリンク制御チャネル（ＰＤＣＣＨ）シグナリングを介して、図１のＵＥ１１５などの１つまたは複数のＵＥに通信される場合がある。述べたように、柔軟なシンブル２４５は、アップリンクシンボルまたはダウンリンクシンボルに切り替えられる場合があり、そのような構成の指示は、ＵＥ１１５に与えられたアップリンクリソースまたはダウンリンクリソースの割振りにおいて、基地局によって提供される場合がある。そのような割振りに基づいて、ＵＥは、一定数のシンボル２４０、２４５、２６０がＵＥと基地局との間の通信に割り振られる場合があると決定することができる。
【００４２】
[0058]そのようなシンボルの動的切替えでは、基地局およびＵＥは、無線フレーム全体についてアップリンクサブフレームまたはダウンリンクサブフレームの数に関して先読みする必要がないが、動的および柔軟な方式で特定のリソース割振りを決定することができる。特定のＵＥに割り振られるリソースの数は、たとえば、ＵＥと基地局との間で送信されるべきデータ量、およびデータに関連付けられた待ち時間要件またはサービス品質（ＱｏＳ）要件に関して、決定される場合がある。いくつかの例では、シンボル２４０、２４５、および２６０の各々は、従来のＯＦＤＭシンボルまたは従来のＳＣ−ＦＤＭシンボル（たとえば、シンボル２６６）に比べて短縮されたシンボル持続時間を有する場合があり、いくつかの例では、８．３３μｓの有用なシンボル持続時間と２．０３μｓのサイクリックプレフィックス持続時間とを含む、シンボル当たり１１．３６μｓのシンボル持続時間を有する場合がある。シンボル２４０、２４５、および２６０は、従来のシンボルに比べて増大したサブキャリア用のトーン間隔を有する場合があり、いくつかの例では、１２０ｋＨｚのトーン間隔を有する場合があり、比較的広い帯域幅（たとえば、８０ＭＨｚ）を利用する場合がある。
【００４３】
[0059]そのような短縮されたシンボル持続時間およびダウンリンク通信とアップリンク通信との間の動的切替えは、短縮されたＡＣＫ／ＮＡＣＫターンアラウンド時間を可能にすることができ、したがって、データの比較的低遅延の送信を実現することができる。いくつかの例では、遅延敏感データ（delay sensitive data）はＳＣｅｌｌ送信２２０を使用して送信される場合があるが、遅延敏感ではない他のデータはＰＣｅｌｌ送信２１０を使用して送信される場合がある。いくつかの例では、いくつかのシンボル２４０、２４５、および２６０は、第１の時間期間（Ｔ1）２６５の間に第１のＵＥに割り振られる場合があり、第２の時間期間（Ｔ2）２７０および第３の時間期間（Ｔ3）２７５の間に、第１のＵＥまたは１つもしくは複数の他のＵＥに割り振られる場合がある。そのような時間期間２６５、２７０、および２７５の長さは、たとえば、ほんの数例を挙げれば、送信されるべきデータ量、データに関連付けられたＱｏＳ、データの遅延要件、存在する他のＵＥの数、またはチャネル状態を含む様々な要因に従って決定される場合がある。
【００４４】
[0060]次に図３を参照すると、ｅＣＣ送信の一例を概念的に示すブロック３００が説明される。図３の例では、ｅＣＣ送信３２０は、アップリンクシンボルまたはダウンリンクシンボルとして割り振られたいくつかのシンボルを含む場合がある。そのような送信３２０は、本開示の態様による、図１のワイヤレス通信システム１００などのワイヤレス通信システムの様々なセルを使用して送信される場合がある。いくつかの例では、送信３２０は、図２に関して上記で説明されたようなＳＣｅｌｌ上で送信される。図３の例では、第１の時間期間（Ｔ1）３４０は、９個のシンボル３３０のダウンリンク許可を含む場合がある。この例では、最初のダウンリンクシンボル３３０は、次の時間期間（たとえば、Ｔ1３４０）用のリソース割振りを示すことができる制御情報３３５を含む場合がある。
【００４５】
[0061]いくつかの例では、制御情報３３５は、後続のシンボル３３０を含む、ＵＥへのリソースのダウンリンク許可を含む場合がある。この例では、制御情報３３５の後続の送信は、８個のアップリンクシンボル３４５のアップリンク許可を含む場合がある。ブランクシンボル３５５は、ＵＥでの切替え用の時間を与えるために、ダウンリンクシンボル３３０とアップリンクシンボル３４５との間に含まれる場合がある。ブランクシンボル３５５は、いくつかの例では、切替えシンボルまたは特殊シンボルと呼ばれる場合がある。いくつかの例では、シンボル３３０、３４５のバンドルは基地局によってＵＥに割り振られる場合があり、そのようなバンドルの長さは、制御情報（たとえば、動的許可）３３５によって制御される。あまり遅延敏感ではないいくつかの例では、効率を向上させるために比較的多数のシンボルが割り振られる場合がある。
【００４６】
[0062]他の例では、データ送信が比較的遅延敏感である場合、ＡＣＫ／ＮＡＣＫターンアラウンド時間を短縮するために、特定のＵＥへの動的許可は比較的短い場合がある。図４は、比較的短い許可の一例４００を示す。この例では、ｅＣＣ送信４２０は、１つまたは２つのシンボルのみのリソース割振りを含む場合がある。図４のｅＣＣ送信４２０は、本開示の態様による、図１のワイヤレス通信システム１００などのワイヤレス通信システムを使用して送信される場合がある。いくつかの例では、送信４２０は、図２および図３に関して上記で説明されたようなＳＣｅｌｌ上で送信される。この例では、最初のダウンリンクシンボル４２５内の制御情報４３５は、１つのシンボル（たとえば、ＴＴＩ＝１シンボル）のダウンリンク許可と、１つのシンボル（たとえば、ＴＴＩ＝１シンボル）のアップリンク許可とを含む場合がある。様々な例では、アップリンク許可は、ブランクシンボル４３０に適応し、アップリンクシンボル４４０を送信するようにＵＥでの切替えを可能にするために、制御情報４３５の受信から最小２シンボルで効力を発することができる。この例では、ｅＣＣ送信４２０は、第２の制御情報４５０の送信を含み、第２の制御情報４５０は、この例では、２つのシンボル（たとえば、ＴＴＩ＝２シンボル）向けのダウンリンク許可であり、第３の制御情報４５５は、１つまたは複数のアップリンクシンボル４４０のＴＴＩを有する場合がある後続のアップリンク許可を与える。時間期間またはＴＴＩ４６０は２シンボルである。
【００４７】
[0063]次に、図５は、本開示の様々な態様による、可変長ＴＴＩを利用する送信５２０の一例５００を示す。送信５２０は、ＳＣｅｌｌ上で送信される場合があり、図２〜図４を参照して記載されたｅＣＣの一例であり得る。送信５２０は、図１を参照して記載されたシステムのように、ワイヤレス通信システムにおいて利用される場合がある。キャリアを表す場合がある送信５２０は、このようにして、基地局１０５（図１）とＵＥ１１５（図１）との間の通信を提供することができる。
【００４８】
[0064]図５の例では、第１のダウンリンクシンボル５２５を含むシンボルは、制御領域とデータ領域とを含む場合があり、制御領域内の動的許可は、リソースをスケジュールし、可変ＴＴＩの継続時間をＵＥに伝達するために利用される場合がある。ダウンリンクシンボル５２５は、可変ＴＴＩであり得るマルチシンボルＴＴＩ内の第１のシンボルであり得る。ダウンリンクシンボル５２５は、したがって、可変ＴＴＩの第１の部分と呼ばれる場合がある。いくつかの構成では、送信５２０は、ブランクシンボルもしくは切替えシンボル（switching symbol）５３５、アップリンクシンボル５４０、または後続のダウンリンクシンボル５３０を含む場合がある。送信５２０のいくつかの例には、３つのタイプのシンボル：アップリンク、ダウンリンク、および切替えのすべてが含まれる。
【００４９】
[0065]ダウンリンクシンボル５２５の制御領域は、ダウンリンク許可５４５もしくはアップリンク許可５４７、または両方を含む場合がある。ダウンリンク許可５４５は、ダウンリンクシンボル５２５の−たとえば、データ領域内で−リソースを割り当てることができる。たとえば、ダウンリンク許可５４５は、シンボルｎ向けの（for）許可を示す場合があり、ここで、ｎは、その中で許可が受信されたシンボルである。場合によっては、ＵＥ１１５は、ダウンリンク許可５４５をこのように受信（たとえば、ブラインド復号）し、次いで、ダウンリンクシンボル５２５内でダウンリンクデータを受信する。同様に、アップリンク許可５４７は、後続のＴＴＩ内でアップリンクリソースを割り当てることができる。アップリンク許可５４７は、シンボルｎ＋２向けの許可を示す場合があり、ここで、ｎは、その中で許可が受信されたシンボルである。図５に描写されたように、アップリンク許可５４７は、それが受信されたシンボル期間の後に、２つのシンボルにアップリンクリソースを割り当てることができる。言い換えれば、図５に描写されたように、アップリンク許可５４７は、２つのシンボル内で効力を発することができる。しかしながら、アップリンク許可５４７は、それが受信されたシンボルに続く任意の期間であり得る、可変ＴＴＩのリソースを割り当てることができる。同様に、ダウンリンク許可５４５は、複数のダウンリンクシンボル５３０にリソースを割り当てることができる。描写されたように、ＴＴＩ５５０は継続時間内の４つのシンボル期間であり、すなわち、ＴＴＩ５５０は４シンボル長を有する。場合によっては、ＵＥ１１５は、可変ＴＴＩの継続時間に基づいてハイブリッド自動再送要求（ＨＡＲＱ）タイミングを決定することができ、ダウンリンクＴＴＩに続くアップリンクシンボル内のＴＴＩの各シンボルに対するフィードバックを送信することができる。
【００５０】
[0066]上述のように、シンボルの制御領域は、複数のダウンリンク許可とアップリンク許可とを含む場合がある。したがって、制御領域は、同じまたは異なるシンボル内のリソースを１つまたはいくつかのＵＥ１１５に許可することができる。たとえば、無認可スペクトルを利用するｅＣＣなどの８０ＭＨｚ帯域のキャリアでは、２つ以上のＵＥ１１５が共通シンボル内でダウンリンクリソースまたはアップリンクリソースを許可される場合がある（may）。
【００５１】
[0067]追加または代替として、場合によっては、ブランクシンボルまたは切替えシンボル５３５は、ＵＥ１１５が受信モードから送信モードに遷移することを可能にするために、送信５２０に含まれる。すなわち、切替えシンボル５３５は、たとえば、ダウンリンクシンボル５２５の間のデータスケジュールに対するフィードバック情報を含む、制御もしくはデータ、または両方をＵＥ１１５が準備し送信するための時間を提供することができる。ダウンリンクからアップリンクへの切替え通知は、基地局１０５（図１）によって送信される場合があり、その通知は異なるＵＥ１１５では異なる場合がある。たとえば、アップリンク許可５４７は、スケジュールされたＵＥ１１５に切替えシンボル５３５を通知することができるが、他のＵＥ１１５は共通制御信号内で通知される場合がある。共通制御信号は、ダウンリンクシンボル５２５などのシンボルの制御領域内で伝達される場合もある。共通制御信号は、アップリンクシンボル期間またはアップリンクＴＴＩ（たとえば、アップリンクシンボル５４０）の継続時間のタイミングをＵＥ１１５に示すことができる。すなわち、共通制御信号は、別のＵＥ１１５へのアップリンク割当ての長さをいくつかのＵＥ１１５に示すことができる。この指示により、スケジュールされていないＵＥ１１５が特定のアップリンクＴＴＩ内の制御情報のブラインド検出を回避することが可能になる場合があり、スケジュールされていないＵＥ１１５は、アップリンク送信向けに準備すること（たとえば、それら自体を構成すること）を回避することができる。場合によっては、これらのスケジュールされていないＵＥ１１５は、別のＵＥ１１５のためにスケジュールされたアップリンクＴＴＩの間に、電力節約モードまたは「スリープ」モードに入ることができる場合もある。
【００５２】
[0068]いくつかの例では、特定のＵＥへのリソース許可は、遅延敏感データが第２のＵＥへの送信用に受信される場合、強制排除される場合がある。次に図６を参照すると、リソース許可および後続の送信６２０内のリソース許可の強制排除の一例６００が説明される。図６の送信６２０は、本開示の態様による、図１のワイヤレス通信システム１００などのワイヤレス通信システムを使用して送信される場合がある。いくつかの例では、送信５２０は、図２〜図５に関して上記で説明された、ｅＣＣであり得るＳＣｅｌｌ上で送信される。
【００５３】
[0069]図６の例では、最初または第１のダウンリンクシンボル６２５は、制御情報６３５を含む場合があり、次に、それは、いくつかのダウンリンクシンボルに対する第１のＵＥ（ＵＥ１）へのダウンリンク許可を含む場合がある。たとえば、制御情報６３５は、図３に関して上記で説明された様式と同様の様式で、９個のダウンリンクシンボルに対するダウンリンク許可と、８個のシンボルに対するアップリンク許可とを含む場合がある。この例では、２つのダウンリンクシンボル６３０および最初のダウンリンクシンボル６２５が第１のＵＥに送信される。ダウンリンク許可の後に、遅延敏感データが第２のＵＥ（ＵＥ２）向けに受信される場合がある。図５の例では、基地局は、第４のダウンリンクシンボル６４０内で制御情報６４５を送信することができる。制御情報は、現在の（existing）ダウンリンク許可が強制排除されたことを第１のＵＥに示すことができる。第１のＵＥは、制御情報を受信すると、ダウンリンク許可の残りの部分を取り消すことができる。基地局は、ダウンリンクシンボル６４０内で第２のＵＥにダウンリンクデータを送信することができる。いくつかの例では、制御情報６４５は、第２のＵＥへのダウンリンク許可を含む場合がある。
【００５４】
[0070]この例では、第３のＵＥ（ＵＥ３）向けのダウンリンクデータが受信される場合もあり、基地局は、次のダウンリンクシンボル６５０が第３のＵＥへのダウンリンクデータに割り振られたことを示す制御情報６５５を送信することができる。制御情報６５５は、アップリンクシンボル６６０に対するアップリンク許可、ならびに切替えシンボル６６５の指示を提供することもできる。そのような制御情報６４５、６５５を送信すると、ダウンリンクシンボル６２５に含まれるダウンリンク許可（または制御情報）内で最初に割り振られたより長い長さのＴＴＩの進行中ダウンリンク送信の間でも、基地局が遅延敏感トラフィックを迅速にスケジュールすることが可能になる。そのような強制排除がなければ、基地局は、遅延敏感データを送信する前に、現在のスケジュールされた許可が完了するまで待つ必要があり得る。いくつかの例では、マルチシンボルダウンリンクがスケジュールされたＴＴＩの間の制御情報６４５、６５５の存在は、以前与えられた許可の強制排除についてスケジュールされたＵＥ（たとえば、第１のＵＥ）に警告し、第１のＵＥは、以前与えられたマルチシンボル割当てを取り消すことができる。さらに、いくつかの例では、アップリンク許可は、ＵＥへの許可を強制排除するために使用された同じ制御情報６４５、６５５内で送られる場合がある。
【００５５】
[0071]図７は、本開示の様々な態様による、可変長ＴＴＩ用に構成されたＵＥ１１５−ａのブロック図７００を示す。ＵＥ１１５−ａは、図１を参照して記載されたＵＥ１１５の態様の一例である場合があり、ＵＥ１１５−ａは、図２〜図６を参照して記載された送信を利用して通信するように構成される場合がある。ＵＥ１１５−ａは、受信機７０５、可変ＴＴＩモジュール７１０、または送信機７１５を含む場合がある。ＵＥ１１５−ａは、プロセッサを含む場合もある。これらの構成要素の各々は、互いと通信している場合がある。
【００５６】
[0072]受信機７０５は、パケット、ユーザデータ、または様々な情報チャネルに関連付けられた制御情報（たとえば、制御チャネル、データチャネル、および可変長ＴＴＩに関係する情報など）などの情報を受信することができる。受信機７０５は、図１０に関するトランシーバ１０３５の態様の例を表す場合もある。情報は、可変ＴＴＩモジュール７１０に、およびＵＥ１１５−ａの他の構成要素に渡される場合がある。可変ＴＴＩモジュール７１０は、図１０に関する可変ＴＴＩモジュール１０１０の態様の例を表す場合もある。
【００５７】
[0073]可変ＴＴＩモジュール７１０は、受信機７０５との組合せで、図５を参照して記載されたように、可変ＴＴＩの第１の部分において第１の許可を受信することができ、可変ＴＴＩの第１の部分は制御領域とデータ領域とを含み、データ領域は制御領域によってスケジュールされる。可変ＴＴＩモジュール７１０は、受信された第１の許可に基づいて可変ＴＴＩの継続時間を決定することもできる。
【００５８】
[0074]送信機７１５は、ＵＥ１１５−ａの他の構成要素から受信された信号を送信することができる。いくつかの例では、送信機７１５は、トランシーバモジュール内で受信機７０５とコロケートされる場合がある。送信機７１５は単一のアンテナを含む場合があるか、またはそれはアンテナのセットを含む場合がある。送信機７１５は、図１０に関するトランシーバ１０３５の態様の例を表す場合もある。
【００５９】
[0075]図８は、本開示の様々な態様による、可変長ＴＴＩ用のＵＥ１１５−ｂのブロック図８００を示す。ＵＥ１１５−ｂは、図１および図７を参照して記載されたＵＥ１１５の態様の一例である場合があり、それは、図２〜図６を参照して記載された送信を利用して通信するように構成される場合がある。ＵＥ１１５−ｂは、受信機７０５−ａ、可変ＴＴＩモジュール７１０−ａ、または送信機７１５−ａを含む場合がある。受信機７０５−ａおよび送信機７１５−ａは、図１０に関するトランシーバ１０３５の態様の例を表す場合もある。可変ＴＴＩモジュール７１０−ａは、図１０に関する可変ＴＴＩモジュール１０１０の態様の例を表す場合もある。ＵＥ１１５−ｂは、プロセッサを含む場合もある。これらの構成要素の各々は、互いと通信している場合がある。いくつかの例では、可変ＴＴＩモジュール７１０−ａはまた、許可認識モジュール８０５と、ＴＴＩ継続時間決定モジュール８１０とを含む。
【００６０】
[0076]受信機７０５−ａは、可変ＴＴＩモジュール７１０−ａに、およびＵＥ１１５−ｂの他の構成要素に渡される場合がある情報を受信することができる。可変ＴＴＩモジュール７１０−ａは、図７を参照して上述された動作を実施することができる。送信機７１５−ａは、ＵＥ１１５−ｂの他の構成要素から受信された信号を送信することができる。
【００６１】
[0077]許可認識モジュール８０５は、受信機７０５−ａとの組合せで、図５を参照して上述されたように、可変ＴＴＩの第１の部分において第１の許可を受信することができ、可変ＴＴＩの第１の部分は制御領域とデータ領域とを含み、データ領域は制御領域によってスケジュールされる場合がある。いくつかの例では、第１の許可はダウンリンク許可を含み、第２の許可はアップリンク許可を含む。許可認識モジュール８０５は、可変ＴＴＩの第２の部分において第２の許可を受信することもできる。いくつかの例では、第１の許可はダウンリンク許可またはアップリンク許可のセットのうちの１つを含む。許可認識モジュール８０５は、図１０に関する可変ＴＴＩモジュール１０１０の態様の例を表す場合もある。
【００６２】
[0078]ＴＴＩ継続時間決定モジュール８１０は、図２〜図６を参照して上述されたように、受信された第１の許可に基づいて可変ＴＴＩの継続時間を決定することができる。いくつかの例では、可変ＴＴＩの第１の部分は１つのシンボル期間を含む。いくつかの例では、可変ＴＴＩはシンボル期間のセットを含む。ＴＴＩ継続時間決定モジュール８１０は、受信された第２の許可に基づいて可変ＴＴＩの継続時間を決定することもできる。いくつかの例では、可変ＴＴＩはシンボル期間のセットを含み、可変ＴＴＩの第１の部分および第２の部分は、各々、シンボル期間のセットの１つのシンボル期間を含む。許可認識モジュール８０５は、図１０に関する可変ＴＴＩモジュール１０１０の態様の例を表す場合もある。
【００６３】
[0079]図９は、本開示の様々な態様による、可変長ＴＴＩのための可変ＴＴＩモジュール７１０−ｂのブロック図９００を示す。可変ＴＴＩモジュール７１０−ｂは、図７および図８を参照して記載された可変ＴＴＩモジュール７１０の態様の一例であり得る。可変ＴＴＩモジュール７１０−ｂはまた、図１０に関する可変ＴＴＩモジュール１０１０の態様の一例であり得る。可変ＴＴＩモジュール７１０−ｂは、許可認識モジュール８０５−ａと、ＴＴＩ継続時間決定モジュール８１０−ａとを含む場合がある。これらのモジュールの各々は、図８を参照して上述された機能を実施することができる。可変ＴＴＩモジュール７１０−ｂは、データ領域識別モジュール９０５と、アップリンクリソース決定モジュール９１０と、切替え間隔識別モジュール９１５と、制御領域識別モジュール９２０と、制御信号認識モジュール９２５と、スリープ時間決定モジュール９３０とを含む場合もある。
【００６４】
[0080]データ領域識別モジュール９０５は、図２〜図６を参照して上述されたように、受信された第１の許可に基づいてＴＴＩの第１の部分のデータ領域のリソース上でデータを受信することができ、第１の許可はダウンリンク許可を含む。データ領域識別モジュール９０５は、受信された第１の許可に基づいてＴＴＩの第１の部分のデータ領域のリソース上でデータを受信することもできる。データ領域識別モジュール９０５は、図１０に関する可変ＴＴＩモジュール１０１０の態様の例を表す場合もある。
【００６５】
[0081]アップリンクリソース決定モジュール９１０は、図２〜図６を参照して上述されたように、可変ＴＴＩに続く後続のＴＴＩのリソース上で送信することができ、送信は受信された第１の許可に基づき、第１の許可はアップリンク許可を含む。アップリンクリソース決定モジュール９１０は、受信された第２の許可に基づいて後続のＴＴＩのリソース上で送信することもできる。アップリンクリソース決定モジュール９１０は、いくつかの例では、受信された第２の許可に基づいて、可変ＴＴＩの第２の部分または後続のＴＴＩ内のリソース上で通信することができる。アップリンクリソース決定モジュール９１０は、図１０に関する可変ＴＴＩモジュール１０１０の態様の例を表す場合もある。
【００６６】
[0082]切替え間隔識別モジュール９１５は、図２〜図６を参照して上述されたように、可変ＴＴＩに続き、後続のＴＴＩに先行する切替え間隔−たとえば、ブランクシンボルまたは切替えシンボル−を識別することができる。たとえば、識別は受信された許可に基づく場合がある。追加または代替として、制御領域識別モジュール９２０は、図２〜図６を参照して上述されたように、ＴＴＩの第１の部分の制御領域において第２の許可を受信することができるが、制御信号認識モジュール９２５は、可変ＴＴＩの間に共通制御信号を受信することができる。切替え間隔識別モジュール９１５は、図１０に関する可変ＴＴＩモジュール１０１０の態様の例を表す場合もある。
【００６７】
[0083]スリープ時間決定モジュール９３０は、図２〜図６を参照して上述されたように、受信された共通制御信号に基づいて非アクティブ時間間隔を識別することができる。スリープ時間決定モジュール９３０は、非アクティブ時間間隔を識別すると、スリープサイクルを開始することもできる。スリープ時間決定モジュール９３０は、図１０に関する可変ＴＴＩモジュール１０１０の態様の例を表す場合もある。
【００６８】
[0084]ＵＥ１１５−ａ、ＵＥ１１５−ｂ、または可変ＴＴＩモジュール７１０−ｂの構成要素は、適用可能な機能の一部または全部をハードウェアで実施するように適合された少なくとも１つの特定用途向け集積回路（ＡＳＩＣ）を用いて、個々にまたはまとめて実装される場合がある。代替として、それらの機能は、１つまたは複数の他の処理ユニット（またはコア）によって、少なくとも１つのＩＣ上で実施される場合がある。他の実施形態では、当技術分野で知られている任意の方式でプログラムされ得る他のタイプの集積回路（たとえば、構造化／プラットフォームＡＳＩＣ、フィールドプログラマブルゲートアレイ（ＦＰＧＡ）、または別のセミカスタムＩＣ）が使用される場合がある。各ユニットの機能は、全体的または部分的に、１つまたは複数の汎用プロセッサまたは特定用途向けプロセッサによって実行されるようにフォーマットされた、メモリに組み込まれた命令を用いて実装される場合もある。
【００６９】
[0085]図１０は、本開示の様々な態様による、可変長ＴＴＩ用に構成されたＵＥ１１５を含むシステム１０００の図を示す。システム１０００はＵＥ１１５−ｃを含む場合があり、それは、図１、図７、または図８を参照して上述されたＵＥ１１５の一例である場合があり、それは、図２〜図６を参照して記載された送信を利用して通信するように構成される場合がある。ＵＥ１１５−ｃは、可変ＴＴＩモジュール１０１０を含む場合があり、それは、図７〜図９を参照して記載された可変ＴＴＩモジュール７１０の一例であり得る。ＵＥ１１５−ｃは、ＨＡＲＱ決定モジュール１０２５を含む場合もあり、それは、図２〜図５を参照して上述されたように、可変ＴＴＩの継続時間に基づいてハイブリッド自動再送要求（ＨＡＲＱ）タイミングを決定することができる。ＵＥ１１５−ｃは、通信を送信するための構成要素と通信を受信するための構成要素とを含む、双方向音声およびデータ通信のための構成要素を含む場合もある。たとえば、ＵＥ１１５−ｃは、ＵＥ１１５−ｄまたは基地局１０５−ａと双方向に通信することができる。
【００７０】
[0086]ＵＥ１１５−ｃは、プロセッサモジュール１００５と、（ソフトウェア（ＳＷ）１０２０を含む）メモリ１０１５と、トランシーバ１０３５と、１つまたは複数のアンテナ１０４０とを含む場合もあり、それらの各々は、（たとえば、バス１０４５を介して）互いに直接的または間接的に通信することができる。トランシーバ１０３５は、上述されたように、アンテナ１０４０または有線リンクもしくはワイヤレスリンクを介して、１つまたは複数のネットワークと双方向に通信することができる。たとえば、トランシーバ１０３５は、基地局１０５または別のＵＥ１１５と双方向に通信することができる。トランシーバ１０３５は、パケットを変調し、変調パケットを送信用にアンテナ１０４０に供給し、アンテナ１０４０から受信されたパケットを復調するためにモデムを含む場合がある。ＵＥ１１５−ｃは単一のアンテナ１０４０を含む場合があるが、ＵＥ１１５−ｃは、複数のワイヤレス送信を同時に送信または受信することが可能な複数のアンテナ１０４０を有する場合もある。
【００７１】
[0087]メモリ１０１５は、ランダムアクセスメモリ（ＲＡＭ）と読取り専用メモリ（ＲＯＭ）とを含む場合がある。メモリ１０１５は、実行されると、本明細書に記載された様々な機能（たとえば、可変長ＴＴＩなど）をプロセッサモジュール１００５に実施させる命令を含む、コンピュータ可読、コンピュータ実行可能ソフトウェア／ファームウェアコード１０２０を記憶することができる。代替として、ソフトウェア／ファームウェアコード１０２０は、プロセッサモジュール１００５によって直接実行可能ではない場合があるが、（たとえば、コンパイルされ実行されると）本明細書に記載された機能をコンピュータに実施させることができる。プロセッサモジュール１００５は、インテリジェントなハードウェアデバイス（たとえば、中央処理装置（ＣＰＵ）、マイクロコントローラ、ＡＳＩＣなど）を含む場合がある。
【００７２】
[0088]図１１は、本開示の様々な態様による、可変長ＴＴＩ用に構成された基地局１０５を含むシステム１１００の図を示す。システム１１００は基地局１０５−ｂを含む場合があり、それは、図１または図１０を参照して上述された基地局１０５の態様の一例である場合があり、基地局１０５−ｂは、図２〜図６を参照して記載された送信を利用して通信するように構成される場合がある。基地局１０５−ｂは、基地局可変ＴＴＩモジュール１１１０を含む場合があり、それは、トラフィックニーズに適合するために可変ＴＴＩを利用してリソースを柔軟および動的にスケジュールすることができる。基地局１０５−ｂは、通信を送信するための構成要素と通信を受信するための構成要素とを含む、双方向音声およびデータ通信のための構成要素を含む場合もある。たとえば、基地局１０５−ｂは、基地局１０５−ｂまたは基地局１０５−ｂと双方向に通信することができる。
【００７３】
[0089]場合によっては、基地局１０５−ｂは、１つまたは複数の有線バックホールリンクを有する場合がある。基地局１０５−ｂは、コアネットワーク１３０への有線バックホールリンク（たとえば、Ｓ１インターフェースなど）を有する場合がある。基地局１０５−ｂは、基地局間バックホールリンク（たとえば、Ｘ２インターフェース）を介して、基地局１０５−ｍおよび基地局１０５−ｎなどの他の基地局１０５と通信することもできる。基地局１０５の各々は、同じまたは異なるワイヤレス通信技術を使用して、ＵＥ１１５と通信することができる。場合によっては、基地局１０５−ｂは、基地局通信モジュール１１２５を利用して、１０５−ｍまたは１０５−ｎなどの他の基地局と通信することができる。いくつかの実施形態では、基地局通信モジュール１１２５は、ＬＴＥ／ＬＴＥ−Ａワイヤレス通信ネットワーク技術内のＸ２インターフェースを提供して、基地局１０５のうちのいくつかの間の通信をし得る。いくつかの実施形態では、基地局１０５−ｂは、コアネットワーク１３０−ａを介して他の基地局と通信することができる。場合によっては、基地局１０５−ｂは、ネットワーク通信モジュール１１３０を介してコアネットワーク１３０と通信することができる。
【００７４】
[0090]基地局１０５−ｂは、プロセッサ１１０５と、（ソフトウェア（ＳＷ）１１２０を含む）メモリ１１１５と、トランシーバ１１３５と、アンテナ１１４０とを含む場合があり、それらの各々は、（たとえば、バスシステム１１４５を介して）直接的または間接的に、互いと通信している場合がある。トランシーバ１１３５は、アンテナ１１４０を介して、マルチモードデバイスであり得るＵＥ１１５と双方向に通信するように構成される場合がある。トランシーバ１１３５（または基地局１０５−ｂの他の構成要素）は、アンテナ１１４０を介して、１つまたは複数の他の基地局（図示せず）と双方向に通信するように構成される場合もある。トランシーバ１１３５は、パケットを変調し、変調パケットを送信用にアンテナ１１４０に供給し、アンテナ１１４０から受信されたパケットを復調するように構成されたモデムを含む場合がある。基地局１０５−ｂは、各々が１つまたは複数の関連するアンテナ１１４０を有する、複数のトランシーバ１１３５を含む場合がある。
【００７５】
[0091]メモリ１１１５はＲＡＭとＲＯＭとを含む場合がある。メモリ１１１５は、実行されると、本明細書に記載された様々な機能（たとえば、可変長ＴＴＩ、カバレージ増強技法を選択すること、呼処理、データベース管理、メッセージルーティングなど）をプロセッサ１１０５に実施させるように構成された命令を含んでいる、コンピュータ可読、コンピュータ実行可能ソフトウェアコード１１２０を記憶することもできる。代替として、ソフトウェアコード１１２０は、プロセッサ１１０５によって直接実行可能ではない場合があるが、たとえば、コンパイルされ実行されると、本明細書に記載された機能をコンピュータに実施させるように構成される場合がある。プロセッサ１１０５は、インテリジェントハードウェアデバイス、たとえば、ＣＰＵ、マイクロコントローラ、ＡＳＩＣなどを含む場合がある。プロセッサ１１０５は、エンコーダ、キュー処理モジュール、ベースバンドプロセッサ、無線ヘッドコントローラ、デジタル信号プロセッサ（ＤＳＰ）などの様々な専用プロセッサを含む場合がある。
【００７６】
[0092]基地局通信モジュール１１２５は、他の基地局１０５との通信を管理することができる。通信管理モジュールは、他の基地局１０５と協働してＵＥ１１５との通信を制御するためのコントローラまたはスケジューラを含む場合がある。たとえば、基地局通信モジュール１１２５は、ビームフォーミングまたはジョイント送信などの様々な干渉軽減技法のためのＵＥ１１５への送信についてのスケジューリングを調整する（coordinate）ことができる。
【００７７】
[0093]基地局可変ＴＴＩモジュール１１１０は、基地局１０５−ｂの他の構成要素との組合せで、可変ＴＴＩの第１の部分において第１の許可を送信することができ、可変ＴＴＩの第１の部分は制御領域とデータ領域とを含み、データ領域は制御領域によってスケジュールされる。いくつかの例では、第１の許可は可変ＴＴＩの継続時間を示す。基地局１０５−ｂは、たとえば、トランシーバ１１３５を介して、第１の許可を利用してスケジュールされたように、ＴＴＩの第１の部分のデータ領域のリソース上でデータを送信することができる。第１の許可は、いくつかの例では、このようにダウンリンク許可であり得る。
【００７８】
[0094]いくつかの例では、基地局１０５−ｂは、たとえば、トランシーバ１１３５を介して、可変ＴＴＩに続く後続のＴＴＩのリソース上でアップリンク通信を受信することができる。アップリンク通信は、可変ＴＴＩの第１の部分において送信されたアップリンク許可に基づく場合がある。追加または代替として、基地局１０５−ｂは、たとえば、トランシーバ１１３５を介して、アップリンク許可もしくは共通制御シグナリング、または両方を利用して、１つまたはいくつかのＵＥ１１５にダウンリンクからアップリンクへの切替え間隔を示すことができる。
【００７９】
[0095]他の例では、基地局１０５−ｂは、可変ＴＴＩの第１の部分においてダウンリンク許可を送信し、可変ＴＴＩの間にデータを送信し、可変ＴＴＩの間にアップリンク許可を送信し、次いで、後続のＴＴＩの間にアップリンク通信（たとえば、データ、制御など）を受信することができる。基地局１０５−ｂは、このようにして、第１の許可に従ってデータを送信し、第２の許可に従ってデータまたは制御を受信することができ、両方の許可は同じＴＴＩ内で送信される。場合によっては、両方の許可は同じシンボル内で送信される。
【００８０】
[0096]追加または代替として、図６を参照して記載されたように、基地局１０５−ｂは、後続の許可を用いて、スケジュールされた送信を強制排除することができる。基地局１０５−ｂは、ある特定のダウンリンクＴＴＩの間にリソースをこのように割り当てることができ、次いで、その割当てを強制排除して、以前スケジュールされたＴＴＩの間に到達する遅延敏感トラフィックに適応することができる。
【００８１】
[0097]図１２は、本開示の様々な態様による、可変長ＴＴＩのための方法１２００を示すフローチャートである。方法１２００の動作は、図１〜図１１を参照して記載されたように、ＵＥ１１５またはその構成要素によって実装される場合があり、技法を利用することができる（my）。たとえば、方法１２００の動作は、図７〜図１１を参照して記載されたように、可変ＴＴＩモジュール７１０によって実施される場合がある。いくつかの例では、ＵＥ１１５は、１組のコード（a set of codes）を実行して、下記に記載される機能を実施するようにＵＥ１１５の機能要素を制御することができる。追加または代替として、ＵＥ１１５は、専用ハードウェアを使用して、下記に記載される機能の態様（aspects the functions）を実施することができる。
【００８２】
[0098]ブロック１２０５において、ＵＥ１１５は、図２〜図６を参照して上述されたように、可変ＴＴＩの第１の部分において第１の許可を受信することができ、可変ＴＴＩの第１の部分は制御領域とデータ領域とを含み、データ領域は制御領域によってスケジュールされる。いくつかの例では、ブロック１２０５の動作は、図７、図８、図１０を参照して上述された受信機７０５および/もしくは関連する受信機／アンテナにより、ならびに／または図８を参照して上述された許可認識モジュール８０５によって実施される場合がある。いくつかの例では、ブロック１２０５の動作は、図１０のトランシーバ１０３５およびアンテナ１０４０によって実施される場合がある。
【００８３】
[0099]ブロック１２１０において、ＵＥ１１５は、図２〜図６を参照して上述されたように、受信された第１の許可に少なくとも部分的に基づいて可変ＴＴＩの継続時間を決定することができる。いくつかの例では、ブロック１２１０の動作は、図８を参照して上述されたように、ＴＴＩ継続時間決定モジュール８１０によって実施される場合がある。いくつかの例では、ブロック１２１０の動作は、図１０の可変ＴＴＩモジュール１０１０によって実施される場合がある。
【００８４】
[0100]図１３は、本開示の様々な態様による、可変長ＴＴＩのための方法１３００を示すフローチャートを示す。方法１３００の動作は、図１〜図１１を参照して上述されたように、ＵＥ１１５またはその構成要素によって実装される場合があり、技法を利用することができる（my）。たとえば、方法１３００の動作は、図７〜図１１を参照して記載された可変ＴＴＩモジュール７１０によって実施される場合がある。いくつかの例では、ＵＥ１１５は、１組のコードを実行して、下記に記載される機能を実施するようにＵＥ１１５の機能要素を制御することができる。追加または代替として、ＵＥ１１５は、専用ハードウェアを使用して、下記に記載される機能の態様を実施することができる。方法１３００は、図１２の方法１２００の態様を組み込むこともできる。
【００８５】
[0101]ブロック１３０５において、ＵＥ１１５は、図２〜図６を参照して上述されたように、可変ＴＴＩの第１の部分において第１の許可を受信することができ、可変ＴＴＩの第１の部分は制御領域とデータ領域とを含み、データ領域は制御領域によってスケジュールされる。いくつかの例では、ブロック１３０５の動作は、図７、図８、図１０を参照して上述された受信機７０５および／もしくは関連する受信機／アンテナにより、ならびに／または図８を参照して上述された許可認識モジュール８０５によって実施される場合がある。いくつかの例では、ブロック１３０５の動作は、トランシーバ１０３５およびアンテナ１０４０によって実施される場合がある。
【００８６】
[0102]ブロック１３１０において、ＵＥ１１５は、図２〜図６を参照して上述されたように、受信された第１の許可に少なくとも部分的に基づいて可変ＴＴＩの継続時間を決定することができる。いくつかの例では、ブロック１３１０の動作は、図８を参照して上述されたように、ＴＴＩ継続時間決定モジュール８１０によって実施される場合がある。いくつかの例では、ブロック１３０５の動作は、図１０の可変ＴＴＩモジュール１０１０によって実施される場合がある。
【００８７】
[0103]ブロック１３１５において、ＵＥ１１５は、図２〜図６を参照して上述されたように、受信された第１の許可に基づいてＴＴＩの第１の部分のデータ領域のリソース上でデータを受信することができ、第１の許可はダウンリンク許可を備える。いくつかの例では、ブロック１３１５の動作は、図７、図８、図１０を参照して上述された受信機７０５および／もしくは関連する受信機／アンテナにより、ならびに／または図９を参照して上述されたデータ領域識別モジュール９０５によって実施される場合がある。いくつかの例では、ブロック１３１５の動作は、図１０のトランシーバ１０３５およびアンテナ１０４０によって実施される場合がある。
【００８８】
[0104]図１４は、本開示の様々な態様による、可変長ＴＴＩのための方法１４００を示すフローチャートを示す。方法１４００の動作は、図１〜図１１を参照して記載されたように、ＵＥ１１５またはその構成要素によって実装される場合があり、技法を利用することができる（my）。たとえば、方法１４００の動作は、図７〜図１１を参照して記載されたように、可変ＴＴＩモジュール７１０によって実施される場合がある。いくつかの例では、ＵＥ１１５は、１組のコードを実行して、下記に記載される機能を実施するようにＵＥ１１５の機能要素を制御することができる。追加または代替として、ＵＥ１１５は、専用ハードウェアを使用して、下記に記載される機能の態様を実施することができる。方法１４００は、図１２および図１３の方法１２００および１３００の態様を組み込むこともできる。
【００８９】
[0105]ブロック１４０５において、ＵＥ１１５は、図２〜図６を参照して上述されたように、可変ＴＴＩの第１の部分において第１の許可を受信することができ、可変ＴＴＩの第１の部分は制御領域とデータ領域とを含み、データ領域は制御領域によってスケジュールされる。いくつかの例では、ブロック１４０５の動作は、図７、図８、図１０を参照して上述された受信機７０５および／もしくは関連する受信機／アンテナにより、ならびに／または図８を参照して上述された許可認識モジュール８０５によって実施される場合がある。いくつかの例では、ブロック１４０５の動作は、図１０のトランシーバ１０３５およびアンテナ１０４０によって実施される場合がある。
【００９０】
[0106]ブロック１４１０において、ＵＥ１１５は、図２〜図６を参照して上述されたように、受信された第１の許可に少なくとも部分的に基づいて可変ＴＴＩの継続時間を決定することができる。いくつかの例では、ブロック１４１０の動作は、図８を参照して上述されたように、ＴＴＩ継続時間決定モジュール８１０によって実施される場合がある。いくつかの例では、ブロック１４１０の動作は、可変ＴＴＩモジュール１０１０によって実施される場合がある。
【００９１】
[0107]ブロック１４１５において、ＵＥ１１５は、図２〜図６を参照して上述されたように、可変ＴＴＩに続く後続のＴＴＩのリソース上で送信することができ、送信は受信された第１の許可に基づき、第１の許可はアップリンク許可を備える。いくつかの例では、ブロック１４１５の動作は、図７、図８、図１０を参照して上述された送信機７１５および／もしくは関連する送信機／アンテナにより、ならびに／または図９を参照して上述されたアップリンクリソース決定モジュール９１０によって実施される場合がある。いくつかの例では、ブロック１４１５の動作は、図１０のトランシーバ１０３５およびアンテナ１０４０によって実施される場合がある。
【００９２】
[0108]ブロック１４２０において、ＵＥ１１５は、図２〜図６を参照して上述されたように、受信された第１の許可に基づいて、可変ＴＴＩに続き、後続のＴＴＩに先行する切替え間隔を識別することができる。いくつかの例では、ブロック１４２０の動作は、図９を参照して上述されたように、切替え間隔識別モジュール９１５によって実施される場合がある。
【００９３】
[0109]図１５は、本開示の様々な態様による、可変長ＴＴＩのための方法１５００を示すフローチャートを示す。方法１５００の動作は、図１〜図１１を参照して記載されたように、ＵＥ１１５またはその構成要素によって実装される場合があり、技法を利用することができる（my）。たとえば、方法１５００の動作は、図７〜図１１を参照して記載されたように、可変ＴＴＩモジュール７１０によって実施される場合がある。いくつかの例では、ＵＥ１１５は、１組のコードを実行して、下記に記載される機能を実施するようにＵＥ１１５の機能要素を制御することができる。追加または代替として、ＵＥ１１５は、専用ハードウェアを使用して、下記に記載される機能の態様を実施することができる。方法１５００は、図１２〜図１４の方法１２００、１３００、および１４００の態様を組み込むこともできる。
【００９４】
[0110]ブロック１５０５において、ＵＥ１１５は、図２〜図６を参照して上述されたように、可変ＴＴＩの第１の部分において第１の許可を受信することができ、可変ＴＴＩの第１の部分は制御領域とデータ領域とを含み、データ領域は制御領域によってスケジュールされる。場合によっては、第１の許可はダウンリンク許可を含む。いくつかの例では、ブロック１５０５の動作は、図７、図８、図１０を参照して上述された受信機７０５および／もしくは関連する受信機／アンテナにより、ならびに／または図８を参照して上述された許可認識モジュール８０５によって実施される場合がある。いくつかの例では、ブロック１５０５の動作は、図１０のトランシーバ１０３５およびアンテナ１０４０によって実施される場合がある。
【００９５】
[0111]ブロック１５１０において、ＵＥ１１５は、図２〜図６を参照して上述されたように、受信された第１の許可に少なくとも部分的に基づいて可変ＴＴＩの継続時間を決定することができる。いくつかの例では、ブロック１５１０の動作は、図８を参照して上述されたように、ＴＴＩ継続時間決定モジュール８１０によって実施される場合がある。いくつかの例では、ブロック１５１０の動作は、図１０の可変ＴＴＩモジュール１０１０によって実施される場合がある。
【００９６】
[0112]ブロック１５１５において、ＵＥ１１５は、図２〜図６を参照して上述されたように、ＴＴＩの第１の部分の制御領域において第２の許可を受信することができる。場合によっては、第２の許可はアップリンク許可を含む。いくつかの例では、ブロック１５１５の動作は、図７、図８、図１０を参照して上述された受信機７０５および／もしくは関連する受信機／アンテナにより、ならびに／または図９を参照して上述された制御領域識別モジュール９２０によって実施される場合がある。いくつかの例では、ブロック１５１５の動作は、図１０のトランシーバ１０３５およびアンテナ１０４０によって実施される場合がある。
【００９７】
[0113]ブロック１５２０において、ＵＥ１１５は、図２〜図６を参照して上述されたように、受信された第１の許可に基づいてＴＴＩの第１の部分のデータ領域のリソース上でデータを受信することができる。いくつかの例では、ブロック１５２０の動作は、図７、図８、図１０を参照して上述された受信機７０５および／もしくは関連する受信機／アンテナにより、ならびに／または図９を参照して上述されたデータ領域識別モジュール９０５によって実施される場合がある。いくつかの例では、ブロック１５２０の動作は、図１０のトランシーバ１０３５およびアンテナ１０４０によって実施される場合がある。
【００９８】
[0114]ブロック１５２５において、ＵＥ１１５は、図２〜図６を参照して上述されたように、受信された第２の許可に基づいて後続のＴＴＩのリソース上で送信することができる。いくつかの例では、ブロック１５２５の動作は、図７、図８、図１０を参照して上述された送信機７１５および／もしくは関連する送信機／アンテナにより、ならびに／または図９を参照して上述されたアップリンクリソース決定モジュール９１０によって実施される場合がある。いくつかの例では、ブロック１５２５の動作は、図１０のトランシーバ１０３５とアンテナ１０４０とによって実施される場合がある。
【００９９】
[0115]図１６は、本開示の様々な態様による、可変長ＴＴＩのための方法１６００を示すフローチャートを示す。方法１６００の動作は、図１〜図１１を参照して記載されたように、ＵＥ１１５またはその構成要素によって実装される場合があり、技法を利用することができる（my）。たとえば、方法１６００の動作は、図７〜図１１を参照して記載された可変ＴＴＩモジュール７１０によって実施される場合がある。いくつかの例では、ＵＥ１１５は、１組のコードを実行して、下記に記載される機能を実施するようにＵＥ１１５の機能要素を制御することができる。追加または代替として、ＵＥ１１５は、専用ハードウェアを使用して、下記に記載される機能の態様を実施することができる。方法１６００は、図１２〜図１５の方法１２００、１３００、１４００、および１５００の態様を組み込むこともできる。
【０１００】
[0116]ブロック１６０５において、ＵＥ１１５は、図２〜図６を参照して上述されたように、可変ＴＴＩの第１の部分において第１の許可を受信することができ、可変ＴＴＩの第１の部分は制御領域とデータ領域とを含み、データ領域は制御領域によってスケジュールされる。いくつかの例では、ブロック１６０５の動作は、図７、図８、図１０を参照して上述された受信機７０５および／もしくは関連する受信機／アンテナにより、ならびに／または図８を参照して上述された許可認識モジュール８０５によって実施される場合がある。いくつかの例では、ブロック１６０５の動作は、図１０のトランシーバ１０３５およびアンテナ１０４０によって実施される場合がある。
【０１０１】
[0117]ブロック１６１０において、ＵＥ１１５は、図２〜図６を参照して上述されたように、受信された第１の許可に少なくとも部分的に基づいて可変ＴＴＩの継続時間を決定することができる。いくつかの例では、ブロック１６１０の動作は、図８を参照して上述されたように、ＴＴＩ継続時間決定モジュール８１０によって実施される場合がある。いくつかの例では、ブロック１６１０の動作は、可変ＴＴＩモジュール１０１０によって実施される場合がある。
【０１０２】
[0118]ブロック１６１５において、ＵＥ１１５は、図２〜図６を参照して上述されたように、可変ＴＴＩの間に共通制御信号を受信することができる。いくつかの例では、ブロック１６１５の動作は、図７、図８、図１０を参照して上述された受信機７０５および／もしくは関連する受信機／アンテナにより、ならびに／または図９を参照して上述された制御信号認識モジュール９２５によって実施される場合がある。いくつかの例では、ブロック１６１５の動作は、図１０のトランシーバ１０３５およびアンテナ１０４０によって実施される場合がある。
【０１０３】
[0119]ブロック１６２０において、ＵＥ１１５は、図２〜図６を参照して上述されたように、受信された共通制御信号に基づいて非アクティブ時間間隔を識別することができる。いくつかの例では、ブロック１６２０の動作は、図９を参照して上述されたように、スリープ時間決定モジュール９３０によって実施される場合がある。いくつかの例では、ブロック１６２０の動作は、図１０の可変ＴＴＩモジュール１０１０によって実施される場合がある。
【０１０４】
[0120]図１７は、本開示の様々な態様による、可変長ＴＴＩのための方法１７００を示すフローチャートを示す。方法１７００の動作は、図１〜図１１を参照して記載されたように、ＵＥ１１５またはその構成要素によって実装される場合があり、技法を利用することができる（my）。たとえば、方法１７００の動作は、図７〜図１１を参照して記載されたように、可変ＴＴＩモジュール７１０によって実施される場合がある。いくつかの例では、ＵＥ１１５は、１組のコードを実行して、下記に記載される機能を実施するようにＵＥ１１５の機能要素を制御することができる。追加または代替として、ＵＥ１１５は、専用ハードウェアを使用して、下記に記載される機能の態様を実施することができる。方法１７００は、図１２〜図１６の方法１２００、１３００、１４００、１５００、および１６００の態様を組み込むこともできる。
【０１０５】
[0121]ブロック１７０５において、ＵＥ１１５は、図２〜図６を参照して上述されたように、可変ＴＴＩの第１の部分において第１の許可を受信することができ、可変ＴＴＩの第１の部分は制御領域とデータ領域とを含み、データ領域は制御領域によってスケジュールされる。いくつかの例では、ブロック１７０５の動作は、図７、図８、図１０を参照して上述された受信機７０５および／もしくは関連する受信機／アンテナにより、ならびに／または図８を参照して上述された許可認識モジュール８０５によって実施される場合がある。いくつかの例では、ブロック１７０５の動作は、図１０のトランシーバ１０３５およびアンテナ１０４０によって実施される場合がある。
【０１０６】
[0122]ブロック１７１０において、ＵＥ１１５は、図２〜図６を参照して上述されたように、受信された第１の許可に少なくとも部分的に基づいて可変ＴＴＩの継続時間を決定することができる。いくつかの例では、ブロック１７１０の動作は、図８を参照して上述されたように、ＴＴＩ継続時間決定モジュール８１０によって実施される場合がある。いくつかの例では、ブロック１７１０の動作は、図１０の可変ＴＴＩモジュール１０１０によって実施される場合がある。
【０１０７】
[0123]ブロック１７１５において、ＵＥ１１５は、図２〜図６を参照して上述されたように、可変ＴＴＩの第２の部分において第２の許可を受信することができる。いくつかの例では、ブロック１７１５の動作は、図７、図８、図１０を参照して上述された受信機７０５および／もしくは関連する受信機／アンテナにより、ならびに／または図８を参照して上述された許可認識モジュール８０５によって実施される場合がある。いくつかの例では、ブロック１７１５の動作は、図１０のトランシーバ１０３５およびアンテナ１０４０によって実施される場合がある。
【０１０８】
[0124]ブロック１７２０において、ＵＥ１１５は、図２〜図６を参照して上述されたように、受信された第２の許可に基づいて可変ＴＴＩの継続時間を再決定することができる。いくつかの例では、ブロック１７２０の動作は、図８を参照して上述されたように、ＴＴＩ継続時間決定モジュール８１０によって実施される場合がある。いくつかの例では、ブロック１７２０の動作は、によって実施される場合がある。
【０１０９】
[0125]ブロック１７２５において、ＵＥ１１５は、図２〜図６を参照して上述されたように、受信された第２の許可に基づいて可変ＴＴＩの第２の部分または後続のＴＴＩ内のリソース上で通信することができる。いくつかの例では、ブロック１７２５の動作は、図７、図８、図１０を参照して上述された送信機７１５および／もしくは関連する送信機／アンテナにより、ならびに／または図９を参照して上述されたアップリンクリソース決定モジュール９１０によって実施される場合がある。いくつかの例では、ブロック１７２５の動作は、図１０のトランシーバ１０３５およびアンテナ１０４０によって実施される場合がある。
【０１１０】
[0126]このようにして、方法１２００、１３００、１４００、１５００、１６００、および１７００は、可変長ＴＴＩを実現することができる。方法１２００、１３００、１４００、１５００、１６００、および１７００は可能な実装形態を記載し、動作およびステップは、他の実装形態が可能であるように、並べ替えられるかまたは場合によっては（otherwise）修正される場合があることに留意されたい。いくつかの例では、方法１２００、１３００、１４００、１５００、１６００、および１７００のうちの２つ以上からの態様は、組み合わされる場合がある。
【０１１１】
[0127]添付の図面に関して上記に記載された発明を実施するための形態は、例示的な実施形態を記載し、実装され得るまたは特許請求の範囲内に入るすべての実施形態を表すとは限らない。この説明において使用する「例示的」という用語は、「例、事例、または例示の働きをすること」を意味し、「好ましい」または「他の実施形態よりも有利な」を意味しない。発明を実施するための形態は、記載される技法の理解を与えるための具体的な詳細を含む。しかしながら、これらの技法は、これらの具体的な詳細なしに実践される場合がある。場合によっては、記載される実施形態の概念を不明瞭にすることを回避するために、よく知られている構造およびデバイスがブロック図の形態で示されている。
【０１１２】
[0128]情報および信号は、様々な異なる技術および技法のいずれかを使用して表される場合がある。たとえば、上記の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表される場合がある。
【０１１３】
[0129]本明細書の開示に関して記載された様々な例示的なブロックおよびモジュールは、汎用プロセッサ、ＤＳＰ、ＡＳＩＣ、ＦＰＧＡもしくは他のプログラマブル論理デバイス、個別ゲートもしくはトランジスタ論理、個別ハードウェア構成要素、または本明細書に記載された機能を実施するように設計されたそれらの任意の組合せを用いて、実装または実施される場合がある。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つもしくは複数のマイクロプロセッサ、または任意の他のそのような構成）として実装される場合もある。
【０１１４】
[0130]本明細書に記載された機能は、ハードウェア、プロセッサによって実行されるソフトウェア、ファームウェア、またはそれらの組合せに実装される場合がある。プロセッサによって実行されるソフトウェアに実装される場合、機能は、１つまたは複数の命令またはコードとしてコンピュータ可読媒体上に記憶されるか、またはコンピュータ可読媒体を介して送信される場合がある。他の例および実装形態は、本開示の範囲および添付の特許請求の範囲内に入る。たとえば、ソフトウェアの性質に起因して、上述された機能は、プロセッサ、ハードウェア、ファームウェア、ハードワイヤリング、またはこれらのいずれかの組合せによって実行されるソフトウェアを使用して実装される場合がある。機能を実装する特徴は、様々な物理位置に機能の部分が実装されるように分散されることを含め、様々な場所に物理的に配置される場合もある。また、特許請求の範囲を含め、本明細書で使用されるように、項目の列挙（たとえば、「のうちの少なくとも１つ」または「のうちの１つまたは複数」などの句で終わる項目の列挙）内で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような選言的列挙を示す。
【０１１５】
[0131]コンピュータ可読媒体は、ある場所から別の場所へのコンピュータプログラムの転送を容易にする任意の媒体を含む、コンピュータ記憶媒体と通信媒体の両方を含む。記憶媒体は、汎用コンピュータまたは専用コンピュータによってアクセスされ得る任意の利用可能な媒体であり得る。限定ではなく例として、コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用することができ、汎用コンピュータもしくは専用コンピュータまたは汎用プロセッサもしくは専用プロセッサによってアクセスすることができる、任意の他の媒体を備えることができる。また、いかなる接続もコンピュータ可読媒体と適切に呼ばれる。たとえば、同軸ケーブル、光ファイバケーブル、ツイストペア、デジタル加入者線（ＤＳＬ）、または赤外線、無線、およびマイクロ波などのワイヤレス技術を使用して、ソフトウェアがウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１１６】
[0132]本開示のこれまでの説明は、当業者が本開示を作成または使用することを可能にするように提供される。本開示の様々な修正は当業者には容易に明らかになり、本明細書で定義された一般原理は、本開示の範囲から逸脱することなく他の変形形態に適用される場合がある。したがって、本開示は、本明細書に記載された例および設計に限定されるべきでなく、本明細書で開示された原理および新規の特徴に一致する最も広い範囲を与えられるべきである。
【０１１７】
[0133]本明細書に記載された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなどの様々なワイヤレス通信システムに使用される場合がある。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装することができる。ＣＤＭＡ２０００は、ＩＳ−２０００規格と、ＩＳ−９５規格と、ＩＳ−８５６規格とをカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形形態とを含む。ＴＤＭＡシステムは、モバイル通信用グローバルシステム（ＧＳＭ（登録商標））などの無線技術を実装することができる。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装することができる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書に記載された技法は、上述されたシステムおよび無線技術ならびに他のシステムおよび無線技術に使用される場合がある。しかしながら、上記の説明は、例としてＬＴＥシステムを記載し、上記の説明の大部分においてＬＴＥ用語が使用されるが、本技法はＬＴＥの適用例以外に適用可能である。
以下に本願の出願当初の特許請求の範囲に記載された発明を付記する。
[Ｃ１]  ユーザ機器（ＵＥ）におけるワイヤレス通信の方法であって、
可変送信時間間隔（ＴＴＩ）の第１の部分において第１の許可を受信することと、ここにおいて、前記可変ＴＴＩの前記第１の部分が制御領域とデータ領域とを備え、前記データ領域が前記制御領域によってスケジュールされる、
前記受信された第１の許可に少なくとも部分的に基づいて前記可変ＴＴＩの継続時間を決定することとを備える、方法。
[Ｃ２]  前記受信された第１の許可に基づいて前記可変ＴＴＩの前記第１の部分の前記データ領域のリソース上でデータを受信することをさらに備え、前記第１の許可がダウンリンク許可を備える、Ｃ１に記載の方法。
[Ｃ３]  前記可変ＴＴＩに続く後続のＴＴＩのリソース上で送信することをさらに備え、前記送信が前記受信された第１の許可に基づいており、前記第１の許可がアップリンク許可を備える、Ｃ１に記載の方法。
[Ｃ４]  前記受信された第１の許可に基づいて、前記可変ＴＴＩに続き、前記後続のＴＴＩに先行する切替え間隔を識別することをさらに備える、Ｃ３に記載の方法。
[Ｃ５]  前記可変ＴＴＩの前記第１の部分の前記制御領域において第２の許可を受信することと、
前記受信された第１の許可に基づいて前記可変ＴＴＩの前記第１の部分の前記データ領域のリソース上でデータを受信することと、
前記受信された第２の許可に基づいて後続のＴＴＩのリソース上で送信することとをさらに備え、
ここにおいて、前記１の許可がダウンリンク許可を備え、前記第２の許可がアップリンク許可を備える、Ｃ１に記載の方法。
[Ｃ６]  前記可変ＴＴＩの間に共通制御信号を受信することと、
前記受信された共通制御信号に基づいて非アクティブ時間間隔を識別することと、
前記非アクティブ時間間隔を識別すると、スリープサイクルを開始することとをさらに備える、Ｃ１に記載の方法。
[Ｃ７]  前記可変ＴＴＩの前記第１の部分がシンボル期間のセットを備え、
前記可変ＴＴＩが前記セットの１つのシンボル期間を備える、Ｃ１に記載の方法。
[Ｃ８]  前記可変ＴＴＩの第２の部分において第２の許可を受信することと、
前記受信された第２の許可に基づいて前記可変ＴＴＩの前記継続時間を再決定することと、
前記受信された第２の許可に基づいて、前記可変ＴＴＩの前記第２の部分または後続のＴＴＩ内のリソース上で通信することとをさらに備える、Ｃ１に記載の方法。
[Ｃ９]  前記可変ＴＴＩがシンボル期間のセットを備え、前記可変ＴＴＩの前記第１の部分および前記第２の部分が、各々、シンボル期間の前記セットの１つのシンボルを備える、Ｃ８に記載の方法。
[Ｃ１０]  前記第１の許可がダウンリンク許可またはアップリンク許可のセットのうちの１つを備える、Ｃ１に記載の方法。
[Ｃ１１]  前記可変ＴＴＩの前記継続時間に基づいて、ハイブリッド自動再送要求（ＨＡＲＱ）タイミングを決定することをさらに備える、Ｃ１に記載の方法。
[Ｃ１２]  ユーザ機器（ＵＥ）におけるワイヤレス通信のための装置であって、
可変送信時間間隔（ＴＴＩ）の第１の部分において第１の許可を受信するための手段と、ここにおいて、前記可変ＴＴＩの前記第１の部分が制御領域とデータ領域とを備え、前記データ領域が前記制御領域によってスケジュールされる、
前記受信された第１の許可に少なくとも部分的に基づいて前記可変ＴＴＩの継続時間を決定するための手段とを備える、装置。
[Ｃ１３]  前記受信された第１の許可に基づいて前記可変ＴＴＩの前記第１の部分の前記データ領域のリソース上でデータを受信するための手段をさらに備え、ここにおいて、前記第１の許可がダウンリンク許可を備える、Ｃ１２に記載の装置。
[Ｃ１４]  前記可変ＴＴＩに続く後続のＴＴＩのリソース上で送信するための手段をさらに備え、ここにおいて、前記送信が前記受信された第１の許可に基づいており、前記第１の許可がアップリンク許可を備える、Ｃ１２に記載の装置。
[Ｃ１５]  前記受信された第１の許可に基づいて、前記可変ＴＴＩに続き、前記後続のＴＴＩに先行する切替え間隔を識別するための手段をさらに備える、Ｃ１４に記載の装置。
[Ｃ１６]  前記可変ＴＴＩの前記第１の部分の前記制御領域において第２の許可を受信するための手段と、
前記受信された第１の許可に基づいて前記可変ＴＴＩの前記第１の部分の前記データ領域のリソース上でデータを受信するための手段と、
前記受信された第２の許可に基づいて後続のＴＴＩのリソース上で送信するための手段とをさらに備え、
ここにおいて、前記１の許可がダウンリンク許可を備え、前記第２の許可がアップリンク許可を備える、Ｃ１２に記載の装置。
[Ｃ１７]  前記可変ＴＴＩの間に共通制御信号を受信するための手段と、
前記受信された共通制御信号に基づいて非アクティブ時間間隔を識別するための手段と、
前記非アクティブ時間間隔を識別すると、スリープサイクルを開始するための手段とをさらに備える、Ｃ１２に記載の装置。
[Ｃ１８]  前記可変ＴＴＩの第２の部分において第２の許可を受信するための手段と、
前記受信された第２の許可に基づいて前記可変ＴＴＩの前記継続時間を再決定するための手段と、
前記受信された第２の許可に基づいて、前記可変ＴＴＩの前記第２の部分または後続のＴＴＩ内のリソース上で通信するための手段とをさらに備える、Ｃ１２に記載の装置。
[Ｃ１９]  前記可変ＴＴＩがシンボル期間のセットを備え、前記可変ＴＴＩの前記第１の部分および前記第２の部分が、各々、シンボル期間の前記セットの１つのシンボル期間を備える、Ｃ１８に記載の装置。
[Ｃ２０]  前記可変ＴＴＩの前記第１の部分がシンボル期間のセットを備え、前記可変ＴＴＩが前記セットの１つのシンボル期間を備える、Ｃ１２に記載の装置。
[Ｃ２１]  前記第１の許可がダウンリンク許可またはアップリンク許可のセットのうちの１つを備える、Ｃ１２に記載の装置。
[Ｃ２２]  前記可変ＴＴＩの前記継続時間に基づいて、ハイブリッド自動再送要求（ＨＡＲＱ）タイミングを決定するための手段をさらに備える、Ｃ１２に記載の装置。
[Ｃ２３]  ユーザ機器（ＵＥ）におけるワイヤレス通信のための装置であって、
プロセッサと、
前記プロセッサと電子通信するメモリと、
前記メモリに記憶された命令とを備え、前記命令が、
可変送信時間間隔（ＴＴＩ）の第１の部分において第１の許可を受信することと、ここにおいて、前記可変ＴＴＩの前記第１の部分が制御領域とデータ領域とを備え、前記データ領域が前記制御領域によってスケジュールされる、
前記受信された第１の許可に少なくとも部分的に基づいて前記可変ＴＴＩの継続時間を決定することと
を行うように前記プロセッサによって実行可能である、装置。
[Ｃ２４]  前記命令が、
前記受信された第１の許可に基づいて前記可変ＴＴＩの前記第１の部分の前記データ領域のリソース上でデータを受信することを行うように前記プロセッサによって実行可能であり、前記第１の許可がダウンリンク許可を備える、Ｃ２３に記載の装置。
[Ｃ２５]  前記命令が、
前記可変ＴＴＩに続く後続のＴＴＩのリソース上で送信することを行うように前記プロセッサによって実行可能であり、前記送信が前記受信された第１の許可に基づき、前記第１の許可がアップリンク許可を備える、Ｃ２３に記載の装置。
[Ｃ２６]  前記命令が、
前記受信された第１の許可に基づいて、前記可変ＴＴＩに続き、前記後続のＴＴＩに先行する切替え間隔を識別することを行うように前記プロセッサによって実行可能である、Ｃ２５に記載の装置。
[Ｃ２７]  前記命令が、
前記可変ＴＴＩの前記第１の部分の前記制御領域において第２の許可を受信することと、
前記受信された第１の許可に基づいて前記可変ＴＴＩの前記第１の部分の前記データ領域のリソース上でデータを受信することと、
前記受信された第２の許可に基づいて後続のＴＴＩのリソース上で送信することとを行うように前記プロセッサによって実行可能であり、
前記１の許可がダウンリンク許可を備え、前記第２の許可がアップリンク許可を備える、Ｃ２３に記載の装置。
[Ｃ２８]  前記命令が、
前記可変ＴＴＩの間に共通制御信号を受信することと、
前記受信された共通制御信号に基づいて非アクティブ時間間隔を識別することと、
前記非アクティブ時間間隔を識別すると、スリープサイクルを開始することとを行うように前記プロセッサによって実行可能である、Ｃ２３に記載の装置。
[Ｃ２９]  前記命令が、
前記可変ＴＴＩの第２の部分において第２の許可を受信することと、
前記受信された第２の許可に基づいて前記可変ＴＴＩの前記継続時間を再決定することと、
前記受信された第２の許可に基づいて、前記可変ＴＴＩの前記第２の部分または後続のＴＴＩ内のリソース上で通信することとを行うように前記プロセッサによって実行可能である、Ｃ２３に記載の装置。
[Ｃ３０]  ユーザ機器（ＵＥ）におけるワイヤレス通信のためのコードを記憶する非一時的コンピュータ可読媒体であって、前記コードが、
可変送信時間間隔（ＴＴＩ）の第１の部分において第１の許可を受信することと、ここにおいて、前記可変ＴＴＩの前記第１の部分が制御領域とデータ領域とを備え、前記データ領域が前記制御領域によってスケジュールされる、
前記受信された第１の許可に少なくとも部分的に基づいて前記可変ＴＴＩの継続時間を決定することとを行うように実行可能な命令を備える、非一時的コンピュータ可読媒体。
【図１】
0006625632.tif 000002
【図２】
0006625632.tif 000003
【図３】
0006625632.tif 000004
【図４】
0006625632.tif 000005
【図５】
0006625632.tif 000006
【図６】
0006625632.tif 000007
【図７】
0006625632.tif 000008
【図８】
0006625632.tif 000009
【図９】
0006625632.tif 000010
【図１０】
0006625632.tif 000011
【図１１】
0006625632.tif 000012
【図１２】
0006625632.tif 000013
【図１３】
0006625632.tif 000014
【図１４】
0006625632.tif 000015
【図１５】
0006625632.tif 000016
【図１６】
0006625632.tif 000017
【図１７】
0006625632.tif 000018